(57)【要約】  チャネル状態情報が用いられる無線通信システムにおいて、移動局装置と基地局装置とが効率的に通信する。基準（i）を少なくとも含む基準を満たす、あるサービングセルにおけるサブフレームはＣＳＩ参照リソースとして有効であるとみなされ、前記基準（i）において、ＰＤＣＣＨでシグナルされるＵＬ−ＤＬ設定を示す情報を検出している場合、ＵＬ−ＤＬ設定は前記情報によって与えられ、前記基準（i）において、前記情報を検出していない場合、前記ＵＬ−ＤＬ設定は、上位層のパラメータによって指示されたＵＬ−ＤＬ設定と同じである。基準（i）：前記サブフレームが、前記ＵＬ−ＤＬ設定によって下りリンクサブフレームまたはスペシャルサブフレームとして指示されたサブフレームである。
2014203941.tif 000002
【特許請求の範囲】
【請求項１】
端末装置であって、
サブフレームｎにおいて報告されるチャネル品質指標の値に対して、チャネル状態情報参照リソースに基づいてチャネル品質指標のインデックスを導き出す測定部と、
前記サブフレームｎにおいて前記チャネル品質指標から成るチャネル状態情報を報告する送信部と、を備え、
時間領域において、前記チャネル状態情報参照リソースは、１つのサブフレームｎ−ｎCQI_refによって定義され、
周期的なチャネル状態情報の報告に対して、前記ｎCQI_refは、前記サブフレームｎ−ｎCQI_refが有効なサブフレームに対応するような、４と同じ、または、４より大きい最も小さい値であり、
基準（i）を少なくとも含む基準を満たす、あるサービングセルにおけるサブフレームは有効であるとみなされ、
前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、
前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、
前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである
ことを特徴とする端末装置。
【請求項２】
前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む
ことを特徴とする請求項１に記載の端末装置。
【請求項３】
前記基準は、さらに、基準（iii）、基準（iv）、および、基準（v）を含み、
前記基準（iii）は、送信モード１−８に対して、前記サブフレームがＭＢＳＦＮ（Multimedia Broadcast and Multicast Service over Single Frequency Network）サブフレームではない、
前記基準（iv）は、前記サブフレームが、前記端末装置に対する設定された測定ギャップ内に収まらない、
前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である
ことを特徴とする請求項２に記載の端末装置。
【請求項４】
前記測定部は、前記チャネル状態情報に関するサブフレームセットが設定される場合、前記チャネル状態情報参照リソースに属するサブフレームセット内の設定された干渉測定リソースを、前記サブフレームｎで報告されるチャネル品質指標に関する干渉測定を導き出すために用いる
ことを特徴とする請求項３に記載の端末装置。
【請求項５】
端末装置に用いられる無線通信方法であって、
サブフレームｎにおいて報告されるチャネル品質指標の値に対して、チャネル状態情報参照リソースに基づいてチャネル品質指標のインデックスを導き出し、
前記サブフレームｎにおいて前記チャネル品質指標から成るチャネル状態情報を報告し、
時間領域において、前記チャネル状態情報参照リソースは、１つのサブフレームｎ−ｎCQI_refによって定義され、
周期的なチャネル状態情報の報告に対して、前記ｎCQI_refは、前記サブフレームｎ−ｎCQI_refが有効なサブフレームに対応するような、４と同じ、または、４より大きい最も小さい値であり、
基準（i）を少なくとも含む基準を満たす、あるサービングセルにおけるサブフレームは有効であるとみなされ、
前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、
前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、
前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである
ことを特徴とする無線通信方法。
【請求項６】
前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む
ことを特徴とする請求項５に記載の無線通信方法。
【請求項７】
前記基準は、さらに、基準（iii）、基準（iv）、および、基準（v）を含み、
前記基準（iii）は、送信モード１−８に対して、前記サブフレームがＭＢＳＦＮ（Multimedia Broadcast and Multicast Service over Single Frequency Network）サブフレームではない、
前記基準（iv）は、前記サブフレームが、前記端末装置に対する設定された測定ギャップ内に収まらない、
前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である
ことを特徴とする請求項６に記載の無線通信方法。
【請求項８】
前記チャネル状態情報に関するサブフレームセットが設定される場合、前記チャネル状態情報参照リソースに属するサブフレームセット内の設定された干渉測定リソースが、前記サブフレームｎで報告されるチャネル品質指標に関する干渉測定を導き出すために用いられる
ことを特徴とする請求項７に記載の無線通信方法。
【請求項９】
端末装置に実装される集積回路であって、
サブフレームｎにおいて報告されるチャネル品質指標の値に対して、チャネル状態情報参照リソースに基づいてチャネル品質指標のインデックスを導き出す機能と、
前記サブフレームｎにおいて前記チャネル品質指標から成るチャネル状態情報を報告する機能と、を含む一連の機能を前記端末装置に発揮させ、
時間領域において、前記チャネル状態情報参照リソースは、１つのサブフレームｎ−ｎCQI_refによって定義され、
周期的なチャネル状態情報の報告に対して、前記ｎCQI_refは、前記サブフレームｎ−ｎCQI_refが有効なサブフレームに対応するような、４と同じ、または、４より大きい最も小さい値であり、
基準（i）を少なくとも含む基準を満たす、あるサービングセルにおけるサブフレームは有効であるとみなされ、
前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、
前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、
前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである
ことを特徴とする集積回路。
【請求項１０】
前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む
ことを特徴とする請求項９に記載の集積回路。
【請求項１１】
前記基準は、さらに、基準（iii）、基準（iv）、および、基準（v）を含み、
前記基準（iii）は、送信モード１−８に対して、前記サブフレームがＭＢＳＦＮ（Multimedia Broadcast and Multicast Service over Single Frequency Network）サブフレームではない、
前記基準（iv）は、前記サブフレームが、前記端末装置に対する設定された測定ギャップ内に収まらない、
前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である
ことを特徴とする請求項１０に記載の集積回路。
【請求項１２】
前記チャネル状態情報に関するサブフレームセットが設定される場合、前記チャネル状態情報参照リソースに属するサブフレームセット内の設定された干渉測定リソースが、前記サブフレームｎで報告されるチャネル品質指標に関する干渉測定を導き出すために用いられる
ことを特徴とする請求項１１に記載の集積回路。
【発明の詳細な説明】
【技術分野】
【０００１】
本発明は、端末装置、無線通信方法および集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。【０００４】
３ＧＰＰにおいて、トラフィックアダプテーション技術と干渉軽減技術（DL-UL Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。該トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、移動局装置は、基地局装置によって、フレキシブルサブフレームにおいて上りリンク信号の送信を指示されない限り、該フレキシブルサブフレームを下りリンクサブフレームとみなす。【０００６】
非特許文献１には、新たに導入する上りリンク−下りリンク設定（uplink-downlink configuration）に基づいてＰＤＳＣＨ（Physical Downlink Shared CHannel）に対するＨＡＲＱ（Hybrid Automatic Repeat reQuest）タイミングを決定し、最初のUL-DL configurationに基づいてＰＵＳＣＨ（Physical Uplink Shared CHannel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされうることが記載されている。【０００８】
非特許文献３のセクション７．２には、チャネル状態情報（Channel State Information: CSI）の報告のための移動局装置の手順が記載されている。基地局装置は、複数の移動局装置から報告されたチャネル状態情報に基づいて、移動局装置に下りリンクのリソースを割り当てる。チャネル状態情報は、チャネル品質指標（Channel Quality Indicator: CQI）を含む。
【先行技術文献】
【非特許文献】
【０００９】
【非特許文献１】"On standardization impact of TDD UL-DL adaptation", R1-122016, Ericsson, ST-Ericsson, 3GPP TSG-RAN WG1 Meeting #69, Prague, Czech Republic,21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【非特許文献３】"3GPP TS36.213 v11.2.0 (2013-02)", 15th March February, 2013.
【発明の概要】
【発明が解決しようとする課題】
【００１０】
しかしながら、上記の無線通信システムにおいて、チャネル状態情報に関する技術は十分検討されていない。本発明は上記の点に鑑みてなされたものであり、その目的は、チャネル状態情報が用いられる無線通信システムにおいて、効率的に通信することができる端末装置、無線通信方法および集積回路を提供することである。
【課題を解決するための手段】
【００１１】
（１）上記の目的を達成するために、本発明は、以下のような手段を講じた。すなわち、本発明の端末装置は、サブフレームｎにおいて報告されるチャネル品質指標の値に対して、チャネル状態情報参照リソースに基づいてチャネル品質指標のインデックスを導き出す測定部と、前記サブフレームｎにおいて前記チャネル品質指標から成るチャネル状態情報を報告する送信部と、を備え、時間領域において、前記チャネル状態情報参照リソースは、１つのサブフレームｎ−ｎCQI_refによって定義され、周期的なチャネル状態情報の報告に対して、前記ｎCQI_refは、前記サブフレームｎ−ｎCQI_refが有効なサブフレームに対応するような、４と同じ、または、４より大きい最も小さい値であり、基準（i）を少なくとも含む基準を満たす、あるサービングセルにおけるサブフレームは有効であるとみなされ、前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである。【００１２】
（２）また、本発明の端末装置において、前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む。【００１３】
（３）また、本発明の端末装置において、前記基準は、さらに、基準（iii）、基準（iv）、および、基準（v）を含み、前記基準（iii）は、送信モード１−８に対して、前記サブフレームがＭＢＳＦＮ（Multimedia Broadcast and Multicast Service over Single Frequency Network）サブフレームではない、前記基準（iv）は、前記サブフレームが、前記端末装置に対する設定された測定ギャップ内に収まらない、前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である。【００１４】
（４）また、本発明の端末装置において、前記測定部は、前記チャネル状態情報に関するサブフレームセットが設定される場合、前記チャネル状態情報参照リソースに属するサブフレームセット内の設定された干渉測定リソースを、前記サブフレームｎで報告されるチャネル品質指標に関する干渉測定を導き出すために用いる。【００１５】
（５）また、本発明の無線通信方法は、端末装置に用いられる無線通信方法であって、サブフレームｎにおいて報告されるチャネル品質指標の値に対して、チャネル状態情報参照リソースに基づいてチャネル品質指標のインデックスを導き出し、前記サブフレームｎにおいて前記チャネル品質指標から成るチャネル状態情報を報告し、時間領域において、前記チャネル状態情報参照リソースは、１つのサブフレームｎ−ｎCQI_refによって定義され、周期的なチャネル状態情報の報告に対して、前記ｎCQI_refは、前記サブフレームｎ−ｎCQI_refが有効なサブフレームに対応するような、４と同じ、または、４より大きい最も小さい値であり、基準（i）を少なくとも含む基準を満たす、あるサービングセルにおけるサブフレームは有効であるとみなされ、前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである。【００１６】
（６）また、本発明の無線通信方法において、前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む。【００１７】
（７）また、本発明の無線通信方法において、前記基準は、さらに、基準（iii）、基準（iv）、および、基準（v）を含み、前記基準（iii）は、送信モード１−８に対して、前記サブフレームがＭＢＳＦＮ（Multimedia Broadcast and Multicast Service over Single Frequency Network）サブフレームではない、前記基準（iv）は、前記サブフレームが、前記端末装置に対する設定された測定ギャップ内に収まらない、前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である。【００１８】
（８）また、本発明の無線通信方法において、前記チャネル状態情報に関するサブフレームセットが設定される場合、前記チャネル状態情報参照リソースに属するサブフレームセット内の設定された干渉測定リソースが、前記サブフレームｎで報告されるチャネル品質指標に関する干渉測定を導き出すために用いられる。【００１９】
（９）また、本発明の集積回路は、端末装置に実装される集積回路であって、サブフレームｎにおいて報告されるチャネル品質指標の値に対して、チャネル状態情報参照リソースに基づいてチャネル品質指標のインデックスを導き出す機能と、前記サブフレームｎにおいて前記チャネル品質指標から成るチャネル状態情報を報告する機能と、を含む一連の機能を前記端末装置に発揮させ、時間領域において、前記チャネル状態情報参照リソースは、１つのサブフレームｎ−ｎCQI_refによって定義され、周期的なチャネル状態情報の報告に対して、前記ｎCQI_refは、前記サブフレームｎ−ｎCQI_refが有効なサブフレームに対応するような、４と同じ、または、４より大きい最も小さい値であり、基準（i）を少なくとも含む基準を満たす、あるサービングセルにおけるサブフレームは有効であるとみなされ、前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられ、前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じであり、前記基準（i）は、前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである。【００２０】
（１０）また、本発明の集積回路において、前記基準は、ＤｗＰＴＳ（Downlink Pilot Time Slot）の長さが所定の値である、または、前記所定の値より短い場合、前記サブフレームがＤｗＰＴＳフィールドを含まない、という基準（ii）を含む。【００２１】
（１１）また、本発明の集積回路において、前記基準は、さらに、基準（iii）、基準（iv）、および、基準（v）を含み、前記基準（iii）は、送信モード１−８に対して、前記サブフレームがＭＢＳＦＮ（Multimedia Broadcast and Multicast Service over Single Frequency Network）サブフレームではない、前記基準（iv）は、前記サブフレームが、前記端末装置に対する設定された測定ギャップ内に収まらない、前記基準（v）は、前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である。【００２２】
（１２）また、本発明の集積回路において、前記チャネル状態情報に関するサブフレームセットが設定される場合、前記チャネル状態情報参照リソースに属するサブフレームセット内の設定された干渉測定リソースが、前記サブフレームｎで報告されるチャネル品質指標に関する干渉測定を導き出すために用いられる。
【発明の効果】
【００２３】
この発明によれば、チャネル状態情報が用いられる無線通信システムにおいて、移動局装置と基地局装置とが効率的に通信することができる。
【図面の簡単な説明】
【００２４】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】本実施形態における上りリンク−下りリンク設定の一例を示す表である。
【図１０】本実施形態における第１の上りリンク参照ＵＬ−ＤＬ設定および第１の下りリンク参照ＵＬ−ＤＬ設定のセッティング方法を示すフロー図である。
【図１１】本実施形態における第２の上りリンク参照ＵＬ−ＤＬ設定のセッティング方法を示すフロー図である。
【図１２】本実施形態における他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペア、および、セカンダリーセルに対する第２の上りリンク参照ＵＬ−ＤＬ設定の対応を示す図である。
【図１３】本実施形態における第２の下りリンク参照ＵＬ−ＤＬ設定のセッティング方法を示すフロー図である。
【図１４】本実施形態におけるプライマリーセルに対する第１の下りリンク参照ＵＬ−ＤＬ設定、および、セカンダリーセルに対する第１の下りリンク参照ＵＬ−ＤＬ設定によって形成されるペア、および、セカンダリーセルに対する第２の下りリンク参照ＵＬ−ＤＬ設定の対応を示す図である。
【図１５】本実施形態における第１の上りリンク参照ＵＬ−ＤＬ設定によって指示されるサブフレームと第１の下りリンク参照ＵＬ−ＤＬ設定によって指示されるサブフレームの関係を示す図である。
【図１６】本実施形態における第１の上りリンク参照ＵＬ−ＤＬ設定によって指示されるサブフレームと第１の下りリンク参照ＵＬ−ＤＬ設定によって指示されるサブフレームと送信方向ＵＬ−ＤＬ設定によって指示されるサブフレームの関係を示す図である。
【図１７】本実施形態における第１の上りリンク参照ＵＬ−ＤＬ設定と第１の下りリンク参照ＵＬ−ＤＬ設定と送信方向ＵＬ−ＤＬ設定の関係を示す図である。
【図１８】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１９】本実施形態におけるＰＨＩＣＨが配置されるサブフレームｎと前記ＰＨＩＣＨが対応するＰＵＳＣＨが配置されるサブフレームｎ−ｋとの対応を示す図である。
【図２０】本実施形態におけるＰＵＳＣＨが配置されるサブフレームｎと前記ＰＵＳＣＨが対応するＰＨＩＣＨが配置されるサブフレームｎ＋ｋとの対応を示す図である。移動局装置１は、図２０の表に従ってｋの値を特定（選択、決定）する。
【図２１】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図２２】本実施形態におけるＣＱＩインデックスに対応する変調方式と符号化率を示す表である。
【図２３】本実施形態におけるサブフレームセットの構成の一例を示す図である。
【図２４】本実施形態におけるＵＲＳ、ＣＲＳおよび制御シグナル（ＰＤＣＣＨ／ＰＨＩＣＨ／ＰＣＦＩＣＨ）の配置の一例を示す図である。
【図２５】本実施形態におけるＵＲＳの配置の一例を示す図である。
【発明を実施するための形態】
【００２５】
以下、本発明の実施形態について説明する。
【００２６】
本実施形態では、移動局装置は、複数のセルが設定される。移動局装置が複数のセルを介して通信する技術をセルアグリゲーション、またはキャリアアグリゲーションと称する。移動局装置に対して設定される複数のセルのそれぞれにおいて、本発明が適用されてもよい。また、設定された複数のセルの一部において、本発明が適用されてもよい。移動局装置に設定されるセルを、サービングセルとも称する。
【００２７】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００２８】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。ＴＤＤが適用されるセルとＦＤＤが適用されるセルとが集約される場合に、ＴＤＤが適用されるセルに対して本発明を適用することができる。
【００２９】
ＴＤＤが適用される複数のセルがアグリゲートされる場合には、半二重（half-duplex）ＴＤＤ方式または全二重（full-duplex）ＴＤＤ方式が適用される。
【００３０】
半二重ＴＤＤの場合、ＴＤＤが適用される複数のセルにおいて、上りリンクの送信と下りリンクの受信を同時に行なうことはできない。半二重ＴＤＤの場合、移動局装置は、あるバンドにおける１つのプライマリーセル、または、異なる複数のバンドにおける１つのプライマリーセルおよび１つまたは複数のセカンダリーセルにおいて同時に送信および受信しない。
【００３１】
全二重ＴＤＤの場合、ＴＤＤが適用される複数のセルにおいて、上りリンクの送信と下りリンクの受信を同時に行なうことができる。全二重ＴＤＤの場合、移動局装置は、異なる複数のバンドにおける複数のサービングセルにおいて同時に送信および受信ができる。
【００３２】
移動局装置は、移動局装置によってキャリアアグリゲーションがサポートされているバンドの組合せを示す情報を、基地局装置に送信する。移動局装置は、バンドの組合せのそれぞれに対して、異なる複数のバンドにおける前記複数のサービングセルにおける同時送信および受信をサポートしているかどうかを指示する情報を、基地局装置に送信する。
【００３３】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３４】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００３５】
本実施形態の物理チャネルおよび物理信号について説明する。
【００３６】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control CHannel）
・ＰＵＳＣＨ（Physical Uplink Shared CHannel）
・ＰＲＡＣＨ（Physical Random Access CHannel）
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared CHannel: DL-SCH）に対するＡＣＫ（ACKnowledgement）／ＮＡＣＫ（Negative-ACKnowledgement）を含む。ＡＣＫ／ＮＡＣＫを、ＨＡＲＱ−ＡＣＫ、ＨＡＲＱフィードバック、または、応答情報とも称する。
【００３７】
ＰＵＳＣＨは、上りリンクデータ（Uplink-Shared CHannel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３８】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００３９】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（DeModulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４０】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳまたはタイプ０トリガードＳＲＳとも称する。第２のＳＲＳをアピリオディックＳＲＳまたはタイプ１トリガードＳＲＳとも称する。アピリオディックＳＲＳの送信は、ＳＲＳの送信を要求することを示す情報によってスケジュールされる。
【００４１】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast CHannel）
・ＰＣＦＩＣＨ（Physical Control Format Indicator CHannel）
・ＰＨＩＣＨ（Physical Hybrid automatic repeat request Indicator CHannel）
・ＰＤＣＣＨ（Physical Downlink Control CHannel）
・ＥＰＤＣＣＨ（Enhanced Physical Downlink Control CHannel）
・ＰＤＳＣＨ（Physical Downlink Shared CHannel）
・ＰＭＣＨ（Physical Multicast CHannel）
【００４２】
ＰＢＣＨは、移動局装置１で共通に用いられるマスターインフォメーションブロック（Master Information Block: MIB, Broadcast CHannel: BCH）を報知するために用いられる。ＭＩＢは、４０ｍｓ間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（System Frame Number）は無線フレームの番号である。ＭＩＢはシステム情報である。例えば、ＭＩＢは、ＳＦＮを示す情報を含む。
【００４３】
ＰＣＦＩＣＨは、ＰＤＣＣＨの送信に用いられる領域（ＯＦＤＭシンボル）を指示する情報を送信するために用いられる。
【００４４】
ＰＨＩＣＨは、基地局装置３が受信した上りリンクデータ（Uplink Shared CHannel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００４５】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４６】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００４７】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において移動局装置を識別するための識別子である。
【００４８】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４９】
ＰＤＳＣＨは、下りリンクデータ（Downlink Shared CHannel: DL-SCH）を送信するために用いられる。
【００５０】
ＰＭＣＨは、マルチキャストデータ（Multicast CHannel: MCH）を送信するために用いられる。
【００５１】
図１において、下りリンクの無線通信では、以下の下りリンク物理信号が用いられる。下りリンク物理信号は、上位層から出力された情報を送信するために使用されないが、物理層によって使用される。
・同期信号（Synchronization Signal: SS）
・下りリンク参照信号（Downlink Reference Signal: DL RS）
同期信号は、移動局装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５２】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００５３】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（DeModulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５４】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００５５】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００５６】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００５７】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５８】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。移動局装置１は、ＮＺＰ  ＣＳＩ−ＲＳを用いて信号測定（チャネル測定）を行なう。
【００５９】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、移動局装置１は、干渉を測定することができる。
【００６０】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００６１】
ＰＲＳは、移動局装置が、自装置の地理的な位置を測定するために用いられる。
【００６２】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（Transport Block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６４】
以下、本実施形態の無線フレーム（radio frame）の構成について説明する。
【００６５】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６６】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００６７】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６８】
単一の無線フレームは、少なくとも下りリンクサブフレーム、上りリンクサブフレーム、およびスペシャルサブフレームから構成される。
【００６９】
本実施形態の無線通信システムは、５ｍｓと１０ｍｓの下りリンク‐上りリンク・スイッチポイント周期（downlink-to-uplink switch-point periodicity）をサポートする。
下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００７０】
以下、本実施形態のスロットの構成について説明する。
【００７１】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７２】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７３】
以下、サブフレームのそれぞれにおいて送信される物理チャネルおよび物理信号について説明する。
【００７４】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００７５】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００７６】
図５は、本実施形態の上りリンクサブフレームにおける物理チャネルおよび物理信号の配置の一例を示す図である。図５において、横軸は時間軸であり、縦軸は周波数軸である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００７７】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７８】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７９】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳを送信しない。
【００８０】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、サブフレーム設定部１０１３、スケジューリング情報解釈部１０１５、および、チャネル状態情報（ＣＳＩ）報告制御部１０１７を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００８１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００８２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００８３】
上位層処理部１０１が備えるサブフレーム設定部１０１３は、第１の上りリンク参照ＵＬ−ＤＬ設定（Uplink reference configuration）、第１の下りリンク参照ＵＬ−ＤＬ設定（Downlink reference configuration）、第２の上りリンク参照ＵＬ−ＤＬ設定、第２の下りリンク参照ＵＬ−ＤＬ設定、および、送信方向ＵＬ−ＤＬ設定（transmission direction configuration）の管理をする。
【００８４】
サブフレーム設定部１０１３は、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定をセットする。また、サブフレーム設定部１０１３は、少なくとも２つのサブフレームセットをセットする。
【００８５】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００８６】
スケジューリング情報解釈部１０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行なうタイミングを決定する。
【００８７】
ＣＳＩ報告制御部１０１７は、ＣＳＩ参照リソースを特定する。ＣＳＩ報告制御部１０１７は、チャネル測定部１０５９に、ＣＳＩ参照リソースに関連するＣＱＩを導き出すよう指示する。ＣＳＩ報告制御部１０１７は、送信部１０７に、ＣＱＩを送信するよう指示をする。ＣＳＩ報告制御部１０１７は、チャネル測定部１０５９がＣＱＩを算出する際に用いる設定をセットする。
【００８８】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００８９】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００９０】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出す
る。
【００９１】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【００９２】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００９３】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行ない、復号した下りリンクデータ（トランスポートブロック）を上位層処理部１０１へ出力する。
【００９４】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【００９５】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００９６】
符号化部１０７１は、上位層処理部１０１から入力された上りリンク制御情報を畳込み符号化、ブロック符号化等の符号化を行なう。また、符号化部１０７１は、ＰＵＳＣＨのスケジューリングに用いられる情報に基づきターボ符号化を行なう。
【００９７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００９８】
上りリンク参照信号生成部１０７９は、基地局装置３を識別するための物理セル識別子（Physical Cell Identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上り
リンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００９９】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１００】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、ＣＳＩ報告制御部３０１７を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１０１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１０２】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【０１０３】
上位層処理部３０１が備えるサブフレーム設定部３０１３は、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定の管理を、移動局装置１のそれぞれに対して行なう。
【０１０４】
サブフレーム設定部３０１３は、移動局装置１のそれぞれに対して、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定をセットする。
【０１０５】
サブフレーム設定部３０１３は、第１の上りリンク参照ＵＬ−ＤＬ設定を示す第１の情報、第１の下りリンク参照ＵＬ−ＤＬ設定を示す第２の情報、送信方向ＵＬ−ＤＬ設定を示す第３の情報を生成する。サブフレーム設定部３０１３は、送信部３０７を介して、第１の情報、第２の情報、および、第３の情報を、移動局装置１に送信する。
【０１０６】
基地局装置３は、移動局装置１に対する、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を決定してもよい。また、基地局装置３は、移動局装置１に対する、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を上位ノードから指示されてもよい。
【０１０７】
例えば、サブフレーム設定部３０１３は、上りリンクのトラフィック量および下りリンクのトラフィック量に基づいて、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を決定してもよい。
【０１０８】
サブフレーム設定部３０１３は、少なくとも２つのサブフレームセットの管理を行なう。サブフレーム設定部３０１３は、移動局装置１のそれぞれに対して、少なくとも２つのサブフレームセットをセットしてもよい。サブフレーム設定部３０１３は、サービングセルのそれぞれに対して、少なくとも２つのサブフレームセットをセットしてもよい。サブフレーム設定部３０１３は、ＣＳＩプロセスのそれぞれに対して、少なくとも２つのサブフレームセットをセットしてもよい。
【０１０９】
サブフレーム設定部３０１３は、少なくとも２つのサブフレームセットを示す情報を、送信部３０７を介して、移動局装置１に送信する。
【０１１０】
上位層処理部３０１が備えるスケジューリング部３０１５は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１１１】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行なうタイミングを決定する。
【０１１２】
上位層処理部３０１が備えるＣＳＩ報告制御部３０１７は、移動局装置１のＣＳＩ報告を制御する。ＣＳＩ報告制御部３０１７は、移動局装置１がＣＳＩ参照リソースにおいてＣＱＩを導き出すために想定する、各種設定を示す情報を、送信部３０７を介して、移動局装置１に送信する。
【０１１３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１１４】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１１５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行ない、周波数領域の信号を抽出し多重分離部３０５５に出力する。
【０１１６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１１７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１１８】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１１９】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０１２０】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１２１】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１２２】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１２３】
以下、第１の上りリンク参照ＵＬ−ＤＬ設定（uplink reference uplink-downlink configuration）、第１の下りリンク参照ＵＬ−ＤＬ設定（downlink reference uplink-downlink configuration）、第２の上りリンク参照ＵＬ−ＤＬ設定、第２の下りリンク参照ＵＬ−ＤＬ設定、および、送信方向ＵＬ−ＤＬ設定（transmission direction uplink-downlink configuration）について説明する。
【０１２４】
第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定は、上りリンク−下りリンク設定（uplink-downlink configuration, UL-DL configuration）によって定義される。
【０１２５】
上りリンク−下りリンク設定は、無線フレーム内におけるサブフレームのパターンに関する設定である。上りリンク−下りリンク設定は、無線フレーム内におけるサブフレームのそれぞれが、下りリンクサブフレーム、上りリンクサブフレーム、および、スペシャルサブフレームの何れであるかを示す。
【０１２６】
つまり、第１の上りリンク参照ＵＬ−ＤＬ設定、第２の上りリンク参照ＵＬ−ＤＬ設定、第１の下りリンク参照ＵＬ−ＤＬ設定、第２の下りリンク参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【０１２７】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【０１２８】
図９は、本実施形態における上りリンク−下りリンク設定の一例を示す表である。図９において、Ｄは下りリンクサブフレームを示し、Ｕは上りリンクサブフレームを示し、Ｓはスペシャルサブフレームを示す。
【０１２９】
図９において、無線フレーム内のサブフレーム１は、常にスペシャルサブフレームである。図９において、サブフレーム０と５は常に下りリンク送信のためにリザーブされ、サブフレーム２は常に上りリンク送信のためにリザーブされる。
【０１３０】
図９において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【０１３１】
第１の上りリンク参照ＵＬ−ＤＬ設定を第１のパラメータ、第１の設定、または、サービングセル上りリンク−下りリンク設定とも称する。第１の下りリンク参照ＵＬ−ＤＬ設定を第２のパラメータ、または、第２の設定とも称する。第２の上りリンク参照ＵＬ−ＤＬ設定を第３のパラメータ、または、第３の設定とも称する。第２の下りリンク参照ＵＬ−ＤＬ設定を第４のパラメータ、または、第４の設定とも称する。送信方向ＵＬ−ＤＬ設定を第５のパラメータまたは第５の設定とも称する。
【０１３２】
第１または第２の上りリンク参照ＵＬ−ＤＬ設定として上りリンク−下りリンク設定ｉがセットされることを、第１または第２の上りリンク参照ＵＬ−ＤＬ設定ｉがセットされると称する。第１または第２の下りリンク参照ＵＬ−ＤＬ設定として上りリンク−下りリンク設定ｉがセットされることを、第１または第２の下りリンク参照ＵＬ−ＤＬ設定ｉがセットされると称する。送信方向ＵＬ−ＤＬ設定として上りリンク−下りリンク設定ｉがセットされることを、送信方向ＵＬ−ＤＬ設定ｉがセットされると称する。
【０１３３】
以下、第１の上りリンク参照ＵＬ−ＤＬ設定、第１の下りリンク参照ＵＬ−ＤＬ設定、および、送信方向ＵＬ−ＤＬ設定にセッティング方法ついて説明する。
【０１３４】
基地局装置３は、第１の上りリンク参照ＵＬ−ＤＬ設定、第１の下りリンク参照ＵＬ−ＤＬ設定、および、送信方向ＵＬ−ＤＬ設定をセットする。基地局装置３は、第１の上りリンク参照ＵＬ−ＤＬ設定を示す第１の情報（TDD-Config）、第１の下りリンク参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０１３５】
複数のサービングセルのそれぞれに対して、第１の上りリンク参照ＵＬ−ＤＬ設定、第２の上りリンク参照ＵＬ−ＤＬ設定、第１の下りリンク参照ＵＬ−ＤＬ設定、第２の下りリンク参照ＵＬ−ＤＬ設定、および、送信方向ＵＬ−ＤＬ設定が定義されてもよい。
【０１３６】
基地局装置３は、サービングセルのそれぞれに対する、第１の情報、第２の情報、および、第３の情報を、複数のサービングセルが設定された移動局装置１に送信する。尚、サービングセルのそれぞれに対して、第１の情報、第２の情報、および、第３の情報が定義されてもよい。
【０１３７】
基地局装置３は、１つのプライマリーセルおよび１つのセカンダリーセルから構成される２つのサービングセルが設定された移動局装置１に対して、プライマリーセルに対する第１の情報、プライマリーセルに対する第２の情報、プライマリーセルに対する第３の情報、セカンダリーセルに対する第１の情報、セカンダリーセルに対する第２の情報、および、セカンダリーセルに対する第３の情報を送信してもよい。
【０１３８】
複数のサービングセルが設定された移動局装置１は、サービングセルのそれぞれに対して、第１の情報、第２の情報、および、第３の情報に基づいて、第１の上りリンク参照ＵＬ−ＤＬ設定、第１の下りリンク参照ＵＬ−ＤＬ設定、および、送信方向ＤＬ−ＵＬ設定をセットしてもよい。
【０１３９】
１つのプライマリーセルおよび１つのセカンダリーセルから構成される２つのサービングセルが設定された移動局装置１は、プライマリーセルに対する第１の上りリンク参照ＵＬ−ＤＬ設定、プライマリーセルに対する第１の下りリンク参照ＵＬ−ＤＬ設定、プライマリーセルに対する送信方向ＤＬ−ＵＬ設定、セカンダリーセルに対する第１の上りリンク参照ＵＬ−ＤＬ設定、セカンダリーセルに対する第１の下りリンク参照ＵＬ−ＤＬ設定、セカンダリーセルに対する送信方向ＤＬ−ＵＬ設定をセットしてもよい。
【０１４０】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、物理層の制御情報（例えば、ＤＣＩフォーマット）に含まれることが好ましい。
【０１４１】
第１の情報は、セル内の複数の移動局装置１に対して共通であることが好ましい。第２の情報は、セル内の複数の移動局装置１に対して共通であってもよいし、移動局装置１に対して専用であってもよい。第３の情報は、セル内の複数の移動局装置１に対して共通であってもよいし、移動局装置１に対して専用であってもよい。
【０１４２】
システムインフォメーションブロックタイプ１メッセージは、SFN mod 8 = 0を満たす無線フレームのサブフレーム５においてＰＤＳＣＨを介して初期送信が行なわれ、SFN mod 2 = 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１４３】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０１４４】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【０１４５】
ＭＡＣ  ＣＥはＰＤＳＣＨを介して送信される。ＭＡＣ  ＣＥは、ＭＡＣ層において処理される情報／信号である。
【０１４６】
移動局装置１は、サブフレームｎ−ｋにおいて第１の情報および／または第２の情報および／または第３の情報を含む物理層の制御情報（例えば、ＤＣＩフォーマット）を、下りリンク物理チャネル（例えば、ＰＤＣＣＨ／ＥＰＤＣＣＨ）を介して受信した場合、サブフレームｎにおいて第１の上りリンク参照ＵＬ−ＤＬ設定および／または第１の下りリンク参照ＵＬ−ＤＬ設定および／または送信方向ＵＬ−ＤＬ設定をセットする（有効にする）ことが好ましい。例えば、ｋは４または８である。例えば、サブフレームｎ＋ｋは、該物理層の制御情報（例えば、ＤＣＩフォーマット）の送信に用いられた下りリンク物理チャネル（例えば、ＰＤＣＣＨ／ＥＰＤＣＣＨ）に対するＨＡＲＱ−ＡＣＫ（ＡＣＫ）を送信するサブフレームである。例えば、ｋは図２１の表および現在の第１または第２の下りリンク参照ＵＬ−ＤＬ設定に基づいて決定される。
【０１４７】
移動局装置１は、無線フレームｎ−ｋにおいて第３の情報を含む物理層の制御情報（例えば、ＤＣＩフォーマット）を、下りリンク物理チャネル（例えば、ＰＤＣＣＨ／ＥＰＤＣＣＨ）を介して受信した場合、無線フレームｎにおいて送信方向ＵＬ−ＤＬ設定をセットする（有効にする）ことが好ましい。例えば、ｋは１である。無線フレームｎ−ｋにおいて受信した第３の情報は、無線フレームｎのみに対して有効であってもよい。
【０１４８】
図１０は、本実施形態における第１の上りリンク参照ＵＬ−ＤＬ設定および第１の下りリンク参照ＵＬ−ＤＬ設定のセッティング方法を示すフロー図である。移動局装置１は、複数のサービングセルのそれぞれに対して、図１０におけるセッティング方法を実行する。
【０１４９】
移動局装置１は、あるサービングセルに対して、第１の情報に基づいて第１の上りリンク参照ＵＬ−ＤＬ設定をセットする（Ｓ１０００）。移動局装置１は、該あるサービングセルに対する第２の情報を受信しているかどうかを判断する（Ｓ１００２）。移動局装置１は、該あるサービングセルに対する第２の情報を受信している場合は、該あるサービングセルに対して、該あるサービングセルに対する第２の情報に基づいて第１の下りリンク参照ＵＬ−ＤＬ設定をセットする（Ｓ１００６）。移動局装置１は、該あるサービングセルに対する第２の情報を受信していない場合は（else/otherwise）、該あるサービングセルに対して、該あるサービングセルに対する第１の情報に基づいて第１の下りリンク参照ＵＬ−ＤＬ設定をセットする（Ｓ１００４）。
【０１５０】
第１の情報に基づいて第１の上りリンク参照ＵＬ−ＤＬ設定および第１の下りリンク参照ＵＬ−ＤＬ設定がセットされているサービングセルを、ダイナミックＴＤＤが設定されていないサービングセルとも称する。第２の情報に基づいて第１の下りリンク参照ＵＬ−ＤＬ設定がセットされているサービングセルを、ダイナミックＴＤＤが設定されているサービングセルとも称する。
【０１５１】
移動局装置１は、第２の情報を受信し、第２の情報に基づき上りリンクの信号の送信が可能なサブフレームを判断する。次に、移動局装置１は、第３の情報を監視する。移動局装置１は、第３の情報を受信した場合に、第３の情報に基づき上りリンクの信号の送信が可能なサブフレームを判断する。
【０１５２】
例えば、基地局装置３は、ＰＤＣＣＨ／ＥＰＤＣＣＨを用いて、第３の情報を移動局装置１に送信する。第３の情報は、基地局装置３（セル）のカバレッジ内のダイナミックＴＤＤの動作の制御を行なう。第３の情報は、ＣＳＳ（Common Search Space）、または、ＵＳＳ（UE-specific Search Space）において送受信される。
【０１５３】
ＣＳＳは、複数の移動局装置１が共通してＰＤＣＣＨ／ＥＰＤＣＣＨの監視を行なう領域である。ＵＳＳは、少なくともＣ−ＲＮＴＩに基づいて定義される領域である。Ｃ−ＲＮＴＩは、移動局装置１に固有に割り当てられる識別子である。
【０１５４】
第３の情報（サブフレームに対する送信方向を指示する情報）を含むＤＣＩフォーマットの送信には、Ｃ−ＲＮＴＩが用いられてもよい。第３の情報（サブフレームに対する送信方向を指示する情報）を含むＤＣＩフォーマットの送信には、Ｃ−ＲＮＴＩおよびＳＰＳ  Ｃ−ＲＮＴＩとは異なるＲＮＴＩが用いられてもよい。該ＲＮＴＩをＸ−ＲＮＴＩと称する。つまり、第３の情報の情報を含むＤＣＩフォーマットに付加されるＣＲＣパリティビットは、Ｃ−ＲＮＴＩまたはＸ−ＲＮＴＩでスクランブルされる。
【０１５５】
また、移動局装置１が第３の情報を含むＰＤＣＣＨ／ＥＰＤＣＣＨをモニタするサブフレームは制限されてもよい。基地局装置３は、移動局装置１が第３の情報を含むＰＤＣＣＨ／ＥＰＤＣＣＨをモニタするサブフレームを制御してもよい。基地局装置３は、移動局装置１が第３の情報を含むＰＤＣＣＨ／ＥＰＤＣＣＨをモニタするサブフレームを指示する情報を、移動局装置１に送信してもよい。
【０１５６】
例えば、１０サブフレーム間隔で、第３の情報を含むＰＤＣＣＨ／ＥＰＤＣＣＨが配置されうる。例えば、移動局装置１は、１０サブフレーム間隔で、第３の情報をモニタする。第３の情報を含むＰＤＣＣＨ／ＥＰＤＣＣＨが配置されうるサブフレームは予め決められてもよい。例えば、第３の情報は無線フレームのサブフレーム０または５のみに配置されてもよい。
【０１５７】
ダイナミックＴＤＤの動作を開始した移動局装置１は、第３の情報を含むＰＤＣＣＨ／ＥＰＤＣＣＨが配置されうるサブフレームで、第３の情報を含むＰＤＣＣＨ／ＥＰＤＣＣＨのモニタを行なう。
【０１５８】
移動局装置１は、受信した信号に対して復号を試み、第３の情報を含むＰＤＣＣＨ／ＥＰＤＣＣＨが検出されたか否かを判断する。移動局装置１は、第３の情報を含むＰＤＣＣＨ／ＥＰＤＣＣＨを検出した場合、検出した第３の情報に基づき、上りリンクの信号の送信が可能なサブフレームを判断する。移動局装置１は、第３の情報を含むＰＤＣＣＨ／ＥＰＤＣＣＨを検出しなかった場合、上りリンクの信号の送信が可能なサブフレームに関してこれまでの判断を維持してもよい。
【０１５９】
以下、第２の上りリンク参照ＵＬ−ＤＬ設定のセッティング方法について説明する。
【０１６０】
移動局装置１に対して複数のサービングセルが設定されており、少なくとも２つのサービングセルに対する第１の上りリンク参照ＵＬ−ＤＬ設定が異なる場合に、移動局装置１および基地局装置３は第２の上りリンク参照ＵＬ−ＤＬ設定をセットする。
【０１６１】
移動局装置１に対して複数のサービングセルが設定されており、少なくとも２つのサービングセルに対する第１の上りリンク参照ＵＬ−ＤＬ設定が異なる場合以外は、移動局装置１および基地局装置３は第２の上りリンク参照ＵＬ−ＤＬ設定をセットしなくてもよい。
【０１６２】
少なくとも２つのサービングセルに対する第１の上りリンク参照ＵＬ−ＤＬ設定が異なる場合以外は、全てのサービングセルに対する第１の上りリンク参照ＵＬ−ＤＬ設定が同じ場合である。移動局装置１に対して１つのサービングセルが設定されている場合は、移動局装置１および基地局装置３は第２の上りリンク参照ＵＬ−ＤＬ設定をセットしなくてもよい。
【０１６３】
図１１は、本実施形態における第２の上りリンク参照ＵＬ−ＤＬ設定のセッティング方法を示すフロー図である。図１１において、移動局装置１に対して、１つのプライマリーセルと１つのセカンダリーセルが設定されている。移動局装置１は、プライマリーセルおよびセカンダリーセルのそれぞれに対して、図１１におけるセッティング方法を実行する。
【０１６４】
移動局装置１は、プライマリーセルに対する第１の上りリンク参照ＵＬ−ＤＬ設定およびセカンダリーセルに対する第１の上りリンク参照ＵＬ−ＤＬ設定が異なるかどうかを判断する（Ｓ１１００）。移動局装置１は、プライマリーセルに対する第１の上りリンク参照ＵＬ−ＤＬ設定およびセカンダリーセルに対する第１の上りリンク参照ＵＬ−ＤＬ設定が同じ場合は、第２の上りリンク参照ＵＬ−ＤＬ設定をセットせずに、第２の上りリンク参照ＵＬ−ＤＬ設定のセッティング処理を終了する。
【０１６５】
移動局装置１は、プライマリーセルに対する第１の上りリンク参照ＵＬ−ＤＬ設定およびセカンダリーセルに対する第１の上りリンク参照ＵＬ−ＤＬ設定が異なる場合は、サービングセルがプライマリーセルであるか、セカンダリーセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ１１０２）。
【０１６６】
サービングセルがセカンダリーセルであり、移動局装置１が他のサービングセル（プライマリーセル）において、サービングセル（セカンダリーセル）に対応しＣＩＦをともなうＰＤＣＣＨ／ＥＰＤＣＣＨをモニタするように設定されている場合は、他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペアに基づいて、サービングセル（セカンダリーセル）に対する第２の上りリンク参照ＵＬ−ＤＬ設定をセットする（Ｓ１１０４）。
【０１６７】
Ｓ１１０４において、移動局装置１は、図１２の表に基づいて、サービングセル（セカンダリーセル）に対する第２の上りリンク参照ＵＬ−ＤＬ設定をセットする。図１２は、本実施形態における他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペア、および、セカンダリーセルに対する第２の上りリンク参照ＵＬ−ＤＬ設定の対応を示す図である。
【０１６８】
図１２において、プライマリーセルＵＬ−ＤＬ設定は、他のサービングセル（プライマリーセル）に対する第１の上りリンク参照ＵＬ−ＤＬ設定を参照する。図１２において、セカンダリーセルＵＬ−ＤＬ設定は、サービングセル（セカンダリーセル）に対する第１の上りリンク参照ＵＬ−ＤＬ設定を参照する。
【０１６９】
例えば、他のサービングセル（プライマリーセル）に対して第１の上りリンク参照ＵＬ−ＤＬ設定０をセットし、サービングセル（セカンダリーセル）に対して第１の上りリンク参照ＵＬ−ＤＬ設定２をセットしている場合は、セカンダリーセルに対して第２の上りリンク参照ＵＬ−ＤＬ設定１をセットする。
【０１７０】
サービングセルがプライマリーセルである、または、サービングセルがセカンダリーセルであり、移動局装置１が他のサービングセル（プライマリーセル）において、サービングセル（セカンダリーセル）に対応しＣＩＦをともなうＰＤＣＣＨ／ＥＰＤＣＣＨをモニタするように設定されていない場合は、サービングセルに対する第１の上りリンク参照ＵＬ−ＤＬ設定を、サービングセルに対する第２の上りリンク参照ＵＬ−ＤＬ設定にセットする（Ｓ１１０６）。
【０１７１】
基地局装置３は、図１１のセッティング方法に基づいて、第２の上りリンク参照ＵＬ−ＤＬ設定をセットする。
【０１７２】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【０１７３】
他のサービングセルにおいて、サービングセルに対応しＣＩＦをともなうＰＤＣＣＨ／ＥＰＤＣＣＨをモニタするように設定されている移動局装置１は、該他のサービングセルにおいてＣＩＦをともなうＰＤＣＣＨ／ＥＰＤＣＣＨをモニタする。
【０１７４】
他のサービングセルにおいて、サービングセルに対応しＣＩＦをともなうＰＤＣＣＨ／ＥＰＤＣＣＨをモニタするように設定されている移動局装置１は、該他のサービングセルにおいて、該サービングセルに対する第３の情報をＰＤＣＣＨ／ＥＰＤＣＣＨを介して受信することが好ましい。
【０１７５】
他のサービングセルにおいて、サービングセルに対応しＣＩＦをともなうＰＤＣＣＨ／ＥＰＤＣＣＨをモニタするように設定されていない移動局装置１は、該サービングセルにおいてＣＩＦをともなう、または、ＣＩＦをともなわないＰＤＣＣＨ／ＥＰＤＣＣＨをモニタする。
【０１７６】
他のサービングセルにおいて、サービングセルに対応しＣＩＦをともなうＰＤＣＣＨ／ＥＰＤＣＣＨをモニタするように設定されていない移動局装置１は、該サービングセルにおいて、該サービングセルに対する第３の情報をＰＤＣＣＨ／ＥＰＤＣＣＨを介して受信することが好ましい。
【０１７７】
プライマリーセルに対するＰＤＣＣＨ／ＥＰＤＣＣＨは、プライマリーセルにおいて送信される。プライマリーセルに対する第３の情報は、プライマリーセルのＰＤＣＣＨ／ＥＰＤＣＣＨを介して送信されることが好ましい。
【０１７８】
基地局装置３は、プライマリーセルにおいて送信されるＤＣＩフォーマットにＣＩＦが含まれるかどうかを示すパラメータ（cif-Presence-r10）を、移動局装置１に送信する。
【０１７９】
基地局装置３は、セカンダリーセルのそれぞれに対して、クロスキャリアスケジューリングに関連するパラメータ（CrossCarrierSchedulingConfig-r10）を、移動局装置１に送信する。
【０１８０】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【０１８１】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【０１８２】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する前記セカンダリーセルに対する下りリンク割り当てが何れのサービングセルで送られるかを示すパラメータ（schedulingCellId）を含む。
【０１８３】
以下、第２の下りリンク参照ＵＬ−ＤＬ設定のセッティング方法について説明する。
【０１８４】
移動局装置１に対して複数のサービングセルが設定されており、少なくとも２つのサービングセルに対する第１の下りリンク参照ＵＬ−ＤＬ設定が異なる場合に、移動局装置１および基地局装置３は第２の下りリンク参照ＵＬ−ＤＬ設定をセットする。移動局装置１に対して複数のサービングセルが設定されており、少なくとも２つのサービングセルに対する第１の下りリンク参照ＵＬ−ＤＬ設定が異なる場合以外は、移動局装置１および基地局装置３は第２の下りリンク参照ＵＬ−ＤＬ設定をセットしなくてもよい。
【０１８５】
少なくとも２つのサービングセルに対する第１の下りリンク参照ＵＬ−ＤＬ設定が異なる場合以外は、全てのサービングセルに対する第１の下りリンク参照ＵＬ−ＤＬ設定が同じ場合である。移動局装置１に対して１つのサービングセルが設定されている場合は、移動局装置１および基地局装置３は第２の下りリンク参照ＵＬ−ＤＬ設定をセットしなくてもよい。
【０１８６】
図１３は、本実施形態における第２の下りリンク参照ＵＬ−ＤＬ設定のセッティング方法を示すフロー図である。図１３において、移動局装置１に対して、１つのプライマリーセルと１つのセカンダリーセルが設定されている。移動局装置１は、プライマリーセルおよびセカンダリーセルのそれぞれに対して、図１３におけるセッティング方法を実行する。
【０１８７】
移動局装置１は、プライマリーセルに対する第１の下りリンク参照ＵＬ−ＤＬ設定およびセカンダリーセルに対する第１の下りリンク参照ＵＬ−ＤＬ設定が異なるかどうかを判断する（Ｓ１３００）。移動局装置１は、プライマリーセルに対する第１の下りリンク参照ＵＬ−ＤＬ設定およびセカンダリーセルに対する第１の下りリンク参照ＵＬ−ＤＬ設定が同じ場合は、第２の下りリンク参照ＵＬ−ＤＬ設定をセットせずに、第２の下りリンク参照ＵＬ−ＤＬ設定のセッティング処理を終了する。
【０１８８】
移動局装置１は、プライマリーセルに対する第１の下りリンク参照ＵＬ−ＤＬ設定およびセカンダリーセルに対する第１の下りリンク参照ＵＬ−ＤＬ設定が異なる場合は、サービングセルがプライマリーセルであるか、セカンダリーセルであるかを判断する（Ｓ１３０２）。
【０１８９】
サービングセルがセカンダリーセルである場合は、他のサービングセル（プライマリーセル）に対する第１の下りリンク参照ＵＬ−ＤＬ設定、および、サービングセル（セカンダリーセル）に対する第１の下りリンク参照ＵＬ−ＤＬ設定によって形成されるペアに基づいて、サービングセル（セカンダリーセル）に対する第２の上りリンク参照ＵＬ−ＤＬ設定をセットする（Ｓ１３０４）。
【０１９０】
Ｓ１３０４において、移動局装置１は、図１４の表に基づいて、サービングセル（セカンダリーセル）に対する第２の下りリンク参照ＵＬ−ＤＬ設定をセットする。図１４は、本実施形態におけるプライマリーセルに対する第１の下りリンク参照ＵＬ−ＤＬ設定、および、セカンダリーセルに対する第１の下りリンク参照ＵＬ−ＤＬ設定によって形成されるペア、および、セカンダリーセルに対する第２の下りリンク参照ＵＬ−ＤＬ設定の対応を示す図である。
【０１９１】
図１４において、プライマリーセルＵＬ−ＤＬ設定は、プライマリーセルに対する第１の下りリンク参照ＵＬ−ＤＬ設定を参照する。図１４において、セカンダリーセルＵＬ−ＤＬ設定は、セカンダリーセルに対する第１の下りリンク参照ＵＬ−ＤＬ設定を参照する。
【０１９２】
プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット１に属する場合は、セカンダリーセルに対する第２の下りリンク参照ＵＬ−ＤＬ設定はセット１において定義されている。
【０１９３】
移動局装置１がプライマリーセルにおいて、セカンダリーセルに対応しＣＩＦをともなうＰＤＣＣＨ／ＥＰＤＣＣＨをモニタするように設定されておらず、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット２に属する場合は、セカンダリーセルに対する第２の下りリンク参照ＵＬ−ＤＬ設定はセット２において定義されている。
【０１９４】
移動局装置１がプライマリーセルにおいて、セカンダリーセルに対応しＣＩＦをともなうＰＤＣＣＨ／ＥＰＤＣＣＨをモニタするように設定されておらず、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット３に属する場合は、セカンダリーセルに対する第２の下りリンク参照ＵＬ−ＤＬ設定はセット３において定義されている。
【０１９５】
移動局装置１がプライマリーセルにおいて、セカンダリーセルに対応しＣＩＦをともなうＰＤＣＣＨ／ＥＰＤＣＣＨをモニタするように設定されており、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット４に属する場合は、セカンダリーセルに対する第２の下りリンク参照ＵＬ−ＤＬ設定はセット４において定義されている。
【０１９６】
移動局装置１がプライマリーセルにおいて、セカンダリーセルに対応しＣＩＦをともなうＰＤＣＣＨ／ＥＰＤＣＣＨをモニタするように設定されており、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット５に属する場合は、セカンダリーセルに対する第２の下りリンク参照ＵＬ−ＤＬ設定はセット５において定義されている。
【０１９７】
例えば、プライマリーセルに対して第１の下りリンク参照ＵＬ−ＤＬ設定１をセットし、セカンダリーセルに対して第１の下りリンク参照ＵＬ−ＤＬ設定０をセットしている場合は、セカンダリーセルに対して第２の下りリンク参照ＵＬ−ＤＬ設定１をセットする。
【０１９８】
サービングセルがプライマリーセルである場合は、サービングセル（プライマリーセル）に対する第１の下りリンク参照ＵＬ−ＤＬ設定を、サービングセル（プライマリーセル）に対する第２の下りリンク参照ＵＬ−ＤＬ設定にセットする（Ｓ１３０６）。
【０１９９】
尚、基地局装置３も、図１３のセッティング方法に基づいて、第２の下りリンク参照ＵＬ−ＤＬ設定をセットする。
【０２００】
以下、第１の上りリンク参照ＵＬ−ＤＬ設定について説明する。
【０２０１】
第１の上りリンク参照ＵＬ−ＤＬ設定は、サービングセルにおいて、上りリンクの送信が可能または不可能なサブフレームを特定するために少なくとも用いられる。
【０２０２】
移動局装置１は、第１の上りリンク参照ＵＬ−ＤＬ設定によって下りリンクサブフレームとして指示されたサブフレームにおいて上りリンクの送信を行なわない。移動局装置１は、第１の上りリンク参照ＵＬ−ＤＬ設定によってスペシャルサブフレームとして指示されたサブフレームのＤｗＰＴＳおよびＧＰにおいて上りリンクの送信を行なわない。
【０２０３】
以下、第１の下りリンク参照ＵＬ−ＤＬ設定について説明する。
【０２０４】
第１の下りリンク参照ＵＬ−ＤＬ設定は、サービングセルにおいて、下りリンクの送信が可能または不可能なサブフレームを特定するために少なくとも用いられる。
【０２０５】
移動局装置１は、第１の下りリンク参照ＵＬ−ＤＬ設定によって上りリンクサブフレームとして指示されたサブフレームにおいて下りリンクの送信を行なわない。移動局装置１は、第１の下りリンク参照ＵＬ−ＤＬ設定によってスペシャルサブフレームとして指示されたサブフレームのＵｐＰＴＳおよびＧＰにおいて下りリンクの送信を行なわない。
【０２０６】
第１の情報に基づいて第１の下りリンク参照ＵＬ−ＤＬ設定をセットしている移動局装置１は、第１の上りリンク参照ＵＬ−ＤＬ設定または第１の下りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０２０７】
基地局装置３は、第１の上りリンク参照ＵＬ−ＤＬ設定に基づいて限定される設定セット（セットの設定）の中から下りリンク参照ＵＬ−ＤＬ設定を決定する。つまり、第１の下りリンク参照ＵＬ−ＤＬ設定は、第１の上りリンク参照ＵＬ−ＤＬ設定に基づいて限定される設定セットにおける要素である。第１の上りリンク参照ＵＬ−ＤＬ設定に基づいて限定される設定セットは、以下の条件（ａ）から（ｃ）を満たす上りリンク−下りリンク設定を含む。図１５は、本実施形態における第１の上りリンク参照ＵＬ−ＤＬ設定によって指示されるサブフレームと第１の下りリンク参照ＵＬ−ＤＬ設定によって指示されるサブフレームの関係を示す図である。図１５において、Ｄは下りリンクサブフレームを示し、Ｕは上りリンクサブフレームを示し、Ｓはスペシャルサブフレームを示す。
・条件（ａ）：第１の上りリンク参照ＵＬ−ＤＬ設定によって下りリンクサブフレームとして指示されるサブフレームを下りリンクサブフレームとして指示している
・条件（ｂ）：第１の上りリンク参照ＵＬ−ＤＬ設定によって上りリンクサブフレームとして指示されるサブフレームを上りリンクサブフレームまたは下りリンクサブフレームとして指示している
・条件（ｃ）：第１の上りリンク参照ＵＬ−ＤＬ設定によってスペシャルサブフレームとして指示されるサブフレームを下りリンクサブフレームまたはスペシャルサブフレームとして指示している
【０２０８】
これにより、ダイナミックＴＤＤにおいて、第１の上りリンク参照ＵＬ−ＤＬ設定によって下りリンクサブフレームと指示されたサブフレーム、および、スペシャルサブフレームのＤｗＰＴＳが上りリンクの送信のために利用されることはなくなるため、第１の情報に基づいて第１の下りリンク参照ＵＬ−ＤＬ設定をセットしている移動局装置１が下りリンクの信号を用いた測定を適切に行なうことができるようになる。
【０２０９】
尚、第２の情報に基づいて第１の下りリンク参照ＵＬ−ＤＬ設定をセットしている移動局装置１も、第１の上りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０２１０】
第１の上りリンク参照ＵＬ−ＤＬ設定によって上りリンクサブフレームとして指示され、第１の下りリンク参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０２１１】
第１の上りリンク参照ＵＬ−ＤＬ設定によってスペシャルサブフレームとして指示され、第１の下りリンク参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０２１２】
以下、送信方向ＵＬ−ＤＬ設定について詳細に説明する。
【０２１３】
移動局装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０２１４】
移動局装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０２１５】
基地局装置３は、送信方向ＵＬ−ＤＬ設定を示す第３の情報を、移動局装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０２１６】
例えば、送信方向ＵＬ−ＤＬ設定は、第１の上りリンク参照ＵＬ−ＤＬ設定によって上りリンクサブフレームとして指示され、第１の下りリンク参照ＵＬ−ＤＬ設定によって下りリンクサブフレームとして指示されたサブフレーム、および／または、第１の上りリンク参照ＵＬ−ＤＬ設定によってスペシャルサブフレームとして指示され、第１の下りリンク参照ＵＬ−ＤＬ設定によって下りリンクサブフレームとして指示されたサブフレームにおける、送信の方向を特定するために用いられる。つまり、送信方向ＵＬ−ＤＬ設定は、第１の上りリンク参照ＵＬ−ＤＬ設定と第１の下りリンク参照ＵＬ−ＤＬ設定とで異なるサブフレームとして指示されているサブフレームにおける、送信の方向を特定するために用いられる。
【０２１７】
図１６は、本実施形態における第１の上りリンク参照ＵＬ−ＤＬ設定によって指示されるサブフレームと第１の下りリンク参照ＵＬ−ＤＬ設定によって指示されるサブフレームと送信方向ＵＬ−ＤＬ設定によって指示されるサブフレームの関係を示す図である。図１６において、Ｄは下りリンクサブフレームを示し、Ｕは上りリンクサブフレームを示し、Ｓはスペシャルサブフレームを示す。
【０２１８】
基地局装置３は、第１の上りリンク参照ＵＬ−ＤＬ設定および第１の下りリンク参照ＵＬ−ＤＬ設定に基づいて限定される設定セット（セットの設定）の中から送信方向ＵＬ−ＤＬ設定を決定する。つまり、送信方向ＵＬ−ＤＬ設定は、第１の上りリンク参照ＵＬ−ＤＬ設定および第１の下りリンク参照ＵＬ−ＤＬ設定に基づいて限定される設定セットにおける要素である。第１の上りリンク参照ＵＬ−ＤＬ設定および第１の下りリンク参照ＵＬ−ＤＬ設定に基づいて限定される設定セットは、以下の条件（ｄ）から（ｈ）を満たす上りリンク−下りリンク設定を含む。
【０２１９】
・条件（ｄ）：第１の上りリンク参照ＵＬ−ＤＬ設定および第１の下りリンク参照ＵＬ−ＤＬ設定によって下りリンクサブフレームとして指示されるサブフレームを下りリンクサブフレームとして指示している
・条件（ｅ）：第１の上りリンク参照ＵＬ−ＤＬ設定および第１の下りリンク参照ＵＬ−ＤＬ設定によって上りリンクサブフレームとして指示されるサブフレームを上りリンクサブフレームとして指示している
・条件（ｆ）：第１の上りリンク参照ＵＬ−ＤＬ設定によって上りリンクサブフレームとして指示されるが、第１の下りリンク参照ＵＬ−ＤＬ設定によって下りリンクサブフレームとして指示されるサブフレームを、上りリンクサブフレームまたは下りリンクサブフレームとして指示している
・条件（ｇ）：第１の上りリンク参照ＵＬ−ＤＬ設定および第１の下りリンク参照ＵＬ−ＤＬ設定によってスペシャルサブフレームとして指示されるサブフレームをスペシャルサブフレームとして指示している
・条件（ｈ）：第１の上りリンク参照ＵＬ−ＤＬ設定によってスペシャルサブフレームとして指示されるが、第１の下りリンク参照ＵＬ−ＤＬ設定によって下りリンクサブフレームとして指示されるサブフレームを、スペシャルサブフレームまたは下りリンクサブフレームとして指示している
【０２２０】
基地局装置３は、送信方向ＵＬ−ＤＬ設定によって下りリンクサブフレームとして指示されたサブフレームにおいて、下りリンクの送信のスケジューリングを行なってもよい。
【０２２１】
移動局装置１は、送信方向ＵＬ−ＤＬ設定によって下りリンクサブフレームとして指示されたサブフレームにおいて、下りリンク信号の受信処理を行ってもよい。移動局装置１は、送信方向ＵＬ−ＤＬ設定によって下りリンクサブフレームとして指示されたサブフレームにおいて、ＰＤＣＣＨ／ＥＰＤＣＣＨのモニタを行なってもよい。移動局装置１は、ＰＤＣＣＨ／ＥＰＤＣＣＨを介した下りリンクグラントの検出に基づいて、送信方向ＵＬ−ＤＬ設定によって下りリンクサブフレームとして指示されたサブフレームにおいてＰＤＳＣＨの受信処理を行ってもよい。
【０２２２】
移動局装置１は、送信方向ＵＬ−ＤＬ設定によって下りリンクサブフレームとして指示されたサブフレームにおける上りリンク信号（ＰＵＳＣＨ／ＳＲＳ）の送信がスケジュールまたは設定された場合に、該サブフレームにおいて上りリンク信号（ＰＵＳＣＨ／ＳＲＳ）の送信処理を行なわない。
【０２２３】
基地局装置３は、送信方向ＵＬ−ＤＬ設定によって上りリンクサブフレームとして指示されたサブフレームにおいて、上りリンクの送信のスケジューリングを行なってもよい。
【０２２４】
基地局装置３は、送信方向ＵＬ−ＤＬ設定によって上りリンクサブフレームとして指示されたサブフレームにおいて、下りリンクの送信のスケジューリングを行なってもよい。送信方向ＵＬ−ＤＬ設定によって上りリンクサブフレームとして指示されたサブフレームにおいて、基地局装置３による下りリンクの送信のスケジューリングを禁止してもよい。
【０２２５】
移動局装置１は、送信方向ＵＬ−ＤＬ設定によって上りリンクサブフレームとして指示されたサブフレームにおいて、上りリンク信号の送信処理を行ってもよい。移動局装置１は、送信方向ＵＬ−ＤＬ設定によって上りリンクサブフレームとして指示されたサブフレームにおける上りリンク信号（ＰＵＳＣＨ／ＤＭＲＳ／ＳＲＳ）の送信がスケジュールまたは設定された場合に、該サブフレームにおいて上りリンク信号（ＰＵＳＣＨ／ＤＭＲＳ／ＳＲＳ）の送信処理を行ってもよい。
【０２２６】
移動局装置１は、送信方向ＵＬ−ＤＬ設定によって上りリンクサブフレームとして指示され、上りリンクの送信がスケジュールされていないサブフレームにおいて、下りリンク信号の受信処理を行ってもよい。送信方向ＵＬ−ＤＬ設定によって上りリンクサブフレームとして指示されたサブフレームにおいて、移動局装置１による下りリンク信号の受信処理は禁止されてもよい。
【０２２７】
基地局装置３は、送信方向ＵＬ−ＤＬ設定によってスペシャルサブフレームとして指示されたサブフレームのＤｗＰＴＳにおいて、下りリンクの送信のスケジューリングを行なってもよい。
【０２２８】
移動局装置１は、送信方向ＵＬ−ＤＬ設定によってスペシャルサブフレームとして指示されたサブフレームのＤｗＰＴＳにおいて、下りリンク信号の受信処理を行ってもよい。移動局装置１は、送信方向ＵＬ−ＤＬ設定によってスペシャルサブフレームとして指示されたサブフレームのＤｗＰＴＳにおいて、ＰＤＣＣＨ／ＥＰＤＣＣＨのモニタを行なってもよい。移動局装置１は、ＰＤＣＣＨ／ＥＰＤＣＣＨを介した下りリンクグラントの検出に基づいて、送信方向ＵＬ−ＤＬ設定によってスペシャルサブフレームとして指示されたサブフレームのＤｗＰＴＳにおいてＰＤＳＣＨの受信処理を行ってもよい。
【０２２９】
移動局装置１は、送信方向ＵＬ−ＤＬ設定によってスペシャルサブフレームとして指示されたサブフレームにおけるＰＵＳＣＨの送信がスケジュールまたは設定された場合に、該サブフレームにおいてＰＵＳＣＨの送信処理を行なわない。
【０２３０】
移動局装置１は、送信方向ＵＬ−ＤＬ設定によってスペシャルサブフレームとして指示されたサブフレームのＵｐＰＴＳにおけるＳＲＳの送信が、スケジュールまたは設定された場合に、該サブフレームのＵｐＰＴＳにおいてＳＲＳの送信処理を行ってもよい。
【０２３１】
送信方向ＵＬ−ＤＬ設定によって下りリンクサブフレームとして指示された第１のフレキシブルサブフレームにおいて、ＣＲＳ、ＰＤＣＣＨ、ＰＨＩＣＨ、および／または、ＰＣＦＩＣＨは送信されなくてもよい。この場合、下りリンクサブフレームとして利用される第１のフレキシブルサブフレームにおいて、ＥＰＤＣＣＨ、および、ＰＤＳＣＨが送信される。
【０２３２】
送信方向ＵＬ−ＤＬ設定によって下りリンクサブフレームとして指示された第１のフレキシブルサブフレームにおいて、ＣＲＳ、ＰＤＣＣＨ、ＰＨＩＣＨ、および／または、ＰＣＦＩＣＨが送信されるかどうかを、基地局装置３が制御してもよい。この場合、基地局装置３は、送信方向ＵＬ−ＤＬ設定によって下りリンクサブフレームとして指示された第１のフレキシブルサブフレームにおいて、ＣＲＳ、ＰＤＣＣＨ、ＰＨＩＣＨ、および／または、ＰＣＦＩＣＨが送信されるかどうかを示すＣＲＳパラメータを、移動局装置１に送信し、移動局装置１は、該ＣＲＳパラメータをセットする。
【０２３３】
送信方向ＵＬ−ＤＬ設定によって下りリンクサブフレームとして指示された第２のフレキシブルサブフレームのＧＰおよびＵｐＰＴＳフィールドにおいて、ＣＲＳは送信されなくてもよい。送信方向ＵＬ−ＤＬ設定によって下りリンクサブフレームとして指示された第２のフレキシブルサブフレームにおいて、ＣＲＳが送信されるかどうかを、基地局装置３が制御してもよい。この場合、移動局装置１は、上記のＣＲＳパラメータに基づいて、送信方向ＵＬ−ＤＬ設定によって下りリンクサブフレームとして指示された第２のフレキシブルサブフレームのＧＰおよびＵｐＰＴＳフィールドにおいて、ＣＲＳが送信されるかどうかを判断してもよい。
【０２３４】
図１７は、本実施形態における第１の上りリンク参照ＵＬ−ＤＬ設定と第１の下りリンク参照ＵＬ−ＤＬ設定と送信方向ＵＬ−ＤＬ設定の関係を示す図である。
【０２３５】
例えば、図１７において、第１の上りリンク参照ＵＬ−ＤＬ設定が０である場合、第１の下りリンク参照ＵＬ−ＤＬ設定はセット｛０、１、２、３、４、５、６｝のうちの１つである。例えば、図１７において、第１の上りリンク参照ＵＬ−ＤＬ設定が１である場合、第１の下りリンク参照ＵＬ−ＤＬ設定はセット｛１、２、４、５｝のうちの１つである。
【０２３６】
例えば、図１７において、第１の上りリンク参照ＵＬ−ＤＬ設定が０であり、第１の下りリンク参照ＵＬ−ＤＬ設定が１である場合、送信方向ＵＬ−ＤＬ設定はセット｛０、１、６｝のうちの１つである。
【０２３７】
尚、第１の下りリンク参照ＵＬ−ＤＬ設定の値は、第１の上りリンク参照ＵＬ−ＤＬ設定の値と同じでもよい。しかし、第２の情報を受信していない移動局装置１は、第１の上りリンク参照ＵＬ−ＤＬ設定の値と同じ値を第１の下りリンク参照ＵＬ−ＤＬ設定としてセットするため、第２の情報が示す第１の下りリンク参照ＵＬ−ＤＬ設定の値は、第１の情報が示す第１の上りリンク参照ＵＬ−ＤＬ設定の値と同じではないほうが好ましい。
【０２３８】
第１の上りリンク参照ＵＬ−ＤＬ設定の値と第１の下りリンク参照ＵＬ−ＤＬ設定の値が同じ場合は、送信方向ＵＬ−ＤＬ設定は定義されなくてもよい。または、第１の上りリンク参照ＵＬ−ＤＬ設定の値と第１の下りリンク参照ＵＬ−ＤＬ設定の値が同じ場合は、第１の上りリンク参照ＵＬ−ＤＬ設定の値および第１の下りリンク参照ＵＬ−ＤＬ設定の値と同じ値が、送信方向ＵＬ−ＤＬ設定にセットされてもよい。
【０２３９】
第３の情報は、第１の上りリンク参照ＵＬ−ＤＬ設定および第１の下りリンク参照ＵＬ−ＤＬ設定から構成される設定セット（セットの設定）の中から送信方向ＵＬ−ＤＬ設定を示す情報でもよい。
【０２４０】
以下、第１の上りリンク参照ＵＬ−ＤＬ設定、および、第２の上りリンク参照ＵＬ−ＤＬ設定について詳細に説明する。
【０２４１】
第１の上りリンク参照ＵＬ−ＤＬ設定および第２の上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０２４２】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０２４３】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０２４４】
図１８は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。移動局装置１は、図１８の表に従ってｋの値を特定（選択、決定）する。
【０２４５】
図１８において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２４６】
図１８において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２４７】
以下、図１８の説明において、第１の上りリンク参照ＵＬ−ＤＬ設定および第２の上りリンク参照ＵＬ−ＤＬ設定を、単に上りリンク−下りリンク設定と称する。
【０２４８】
移動局装置１は、サブフレームｎにおいて、上りリンク−下りリンク設定１から６がセットされているサービングセルに対応し、移動局装置１を対象とする上りリンクグラントをともなうＰＤＣＣＨ／ＥＰＤＣＣＨの検出をした場合に、図１８の表に基づいて特定（選択、決定）されるサブフレームｎ＋ｋにおいて該上りリンクグラントに応じたＰＵＳＣＨ送信を行なう。
【０２４９】
移動局装置１は、サブフレームｎにおいて、上りリンク−下りリンク設定１から６がセットされているサービングセルに対応し、移動局装置１を対象とするＮＡＣＫをともなうＰＨＩＣＨの検出をした場合に、図１８の表に基づいて特定（選択、決定）されるサブフレームｎ＋ｋにおいてＰＵＳＣＨ送信を行なう。
【０２５０】
上りリンク−下りリンク設定０が設定されたサービングセルに対応し、移動局装置１を対象とする上りリンクグラントには、２ビットの上りリンクインデックス（UL index）が含まれる。上りリンク−下りリンク設定１から６が設定されたサービングセルに対応し、移動局装置１を対象とする上りリンクグラントには、上りリンクインデックス（UL index）は含まれない。
【０２５１】
移動局装置１は、サブフレームｎにおいて、上りリンク−下りリンク設定０がセットされているサービングセルに対応する上りリンクグラントに含まれる上りリンクインデックスのＭＳＢ（Most Significant Bit）が１にセットされている場合には、図１８の表に基づいて特定（選択、決定）されるサブフレームｎ＋ｋにおいて該上りリンクグラントに応じたＰＵＳＣＨ送信を調整する。
【０２５２】
移動局装置１は、サブフレームｎ＝０または５における第１のリソースセットにおいて、上りリンク−下りリンク設定０がセットされているサービングセルに対応するＮＡＣＫをともなうＰＨＩＣＨを受信した場合には、図１８の表に基づいて特定（選択、決定）されるサブフレームｎ＋ｋにおいて該ＰＨＩＣＨに応じたＰＵＳＣＨ送信を調整する。
【０２５３】
移動局装置１は、サブフレームｎにおいて、上りリンク−下りリンク設定０がセットされているサービングセルに対応する上りリンクグラントに含まれる上りリンクインデックスのＬＳＢ（Least Significant Bit）が１にセットされている場合には、サブフレーム
ｎ＋７において該上りリンクグラントに応じたＰＵＳＣＨ送信を調整する。
【０２５４】
移動局装置１は、サブフレームｎ＝０または５における第２のリソースセットにおいて、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０２５５】
移動局装置１は、サブフレームｎ＝１または６において、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０２５６】
例えば、移動局装置１は、[ＳＦＮ＝ｍ、サブフレーム１]において、上りリンク−下りリンク設定０がセットされているサービングセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０２５７】
第１の上りリンク参照ＵＬ−ＤＬ設定および第２の上りリンク参照ＵＬ−ＤＬ設定は、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２５８】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２５９】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２６０】
図１９は、本実施形態におけるＰＨＩＣＨが配置されるサブフレームｎと前記ＰＨＩＣＨが対応するＰＵＳＣＨが配置されるサブフレームｎ−ｋとの対応を示す図である。移動局装置１は、図１９の表に従ってｋの値を特定（選択、決定）する。
【０２６１】
図１９において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２６２】
図１９において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２６３】
以下、図１９の説明において、第１の上りリンク参照ＵＬ−ＤＬ設定および第２の上りリンク参照ＵＬ−ＤＬ設定を、単に上りリンク−下りリンク設定と称する。
【０２６４】
上りリンク−下りリンク設定１から６がセットされているサービングセルに対して、サブフレームｎにおいて、該サービングセルに対応するＰＨＩＣＨを介して受信されるＨＡＲＱインディケータ（ＨＡＲＱ−ＡＣＫ）は、図１９の表に基づいて特定されるサブフレームｎ−ｋにおけるＰＵＳＣＨの送信に関連する。
【０２６５】
上りリンク−下りリンク設定０がセットされているサービングセルに対して、サブフレームｎ＝０または５における第１のリソースセット、または、サブフレームｎ＝１または６において、該サービングセルに対応するＰＨＩＣＨを介して受信されるＨＡＲＱインディケータ（ＨＡＲＱ−ＡＣＫ）は、図１９の表に基づいて特定されるサブフレームｎ−ｋにおけるＰＵＳＣＨの送信に関連する。
【０２６６】
上りリンク−下りリンク設定０がセットされているサービングセルに対して、サブフレームｎ＝０または５における第２のリソースセットにおいて、該サービングセルに対応するＰＨＩＣＨを介して受信されるＨＡＲＱインディケータ（ＨＡＲＱ−ＡＣＫ）は、サブフレームｎ−６におけるＰＵＳＣＨの送信に関連する。
【０２６７】
例えば、上りリンク−下りリンク設定１がセットされているサービングセルに対して、[ＳＦＮ＝ｍ、サブフレーム１]においてＰＨＩＣＨを介して受信されたＨＡＲＱインディケータ（ＨＡＲＱ−ＡＣＫ）は、４つ前のサブフレーム[ＳＦＮ＝ｍ−１、サブフレーム７]におけるＰＵＳＣＨ送信に関連している。
【０２６８】
第１の上りリンク参照ＵＬ−ＤＬ設定および第２の上りリンク参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２６９】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２７０】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２７１】
図２０は、本実施形態におけるＰＵＳＣＨが配置されるサブフレームｎと前記ＰＵＳＣＨが対応するＰＨＩＣＨが配置されるサブフレームｎ＋ｋとの対応を示す図である。移動局装置１は、図２０の表に従ってｋの値を特定（選択、決定）する。
【０２７２】
図２０において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２７３】
図２０において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２７４】
以下、図２０の説明において、第１の上りリンク参照ＵＬ−ＤＬ設定および第２の上りリンク参照ＵＬ−ＤＬ設定を、単に上りリンク−下りリンク設定と称する。
【０２７５】
移動局装置１は、サブフレームｎにおいてＰＵＳＣＨ送信がスケジュールされた場合には、図２０の表から特定されるサブフレームｎ＋ｋにおいてＰＨＩＣＨリソースを決定する。
【０２７６】
例えば、上りリンク−下りリンク設定０がセットされているサービングセルに対して、[ＳＦＮ＝ｍ、サブフレームｎ＝２]においてＰＵＳＣＨ送信がスケジュールされた場合には、[ＳＦＮ＝ｍ、サブフレームｎ＝６]においてＰＨＩＣＨリソースが決定される。
【０２７７】
以下、第１の下りリンク参照ＵＬ−ＤＬ設定、および、第２の下りリンク参照ＵＬ−ＤＬ設定について詳細に説明する。
【０２７８】
第１の下りリンク参照ＵＬ−ＤＬ設定および第２の下りリンク参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０２７９】
１つのプライマリーセルが設定されている場合、または、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が同じ場合は、２つのサービングセルのそれぞれにおいて、対応する第１の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０２８０】
１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が異なる場合は、２つのサービングセルのそれぞれにおいて、対応する第２の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０２８１】
図２１は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。移動局装置１は、図２１の表に従ってｋの値を特定（選択、決定）する。
【０２８２】
図２１において、１つのプライマリーセルが設定されている場合、または、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が同じ場合は、上りリンク−下りリンク設定は第１の下りリンク参照ＵＬ−ＤＬ設定を参照する。
【０２８３】
図２１において、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が異なる場合は、上りリンク−下りリンク設定は第２の下りリンク参照ＵＬ−ＤＬ設定を参照する。
【０２８４】
以下、図２１の説明において、第１の下りリンク参照ＵＬ−ＤＬ設定および第２の下りリンク参照ＵＬ−ＤＬ設定を、単に上りリンク−下りリンク設定と称する。
【０２８５】
移動局装置１は、サービングセルのサブフレームｎ−ｋ（ｋは図２１の表によって特定される）において、移動局装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０２８６】
例えば、移動局装置１は、システムインフォメーションの送信に用いられるＰＤＳＣＨ送信に対するＨＡＲＱ−ＡＣＫの応答を行なわない。例えば、移動局装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０２８７】
例えば、移動局装置１は、サブフレームｎ＝２において、上りリンク−下りリンク設定１がセットされているサービングセルにおけるサブフレームｎ−６および／またはｎ−７において受信したＰＤＳＣＨに対するＨＡＲＱ−ＡＣＫの送信を行なう。
【０２８８】
尚、第２の情報を受信していないサービングセルに対して、第１の下りリンク参照ＵＬ−ＤＬ設定が定義されなくてもよい。この場合は、移動局装置１および基地局装置３は、上述した第１の下りリンク参照ＵＬ−ＤＬ設定に基づいて行なわれる処理を、第１の上りリンク参照ＵＬ−ＤＬ設定（サービングセルＵＬ−ＤＬ設定）に基づいて行なってもよい。第２の情報を受信していないサービングセルは、ダイナミックＴＤＤが設定されていないサービングセルである。
【０２８９】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なり、サービングセルがセカンダリーセルである場合は、他のサービングセル(プライマリーセル）に対する第１の上りリンク参照ＵＬ−ＤＬ設定、および、サービングセル（セカンダリーセル）に対する第１の下りリンク参照ＵＬ−ＤＬ設定によって形成されるペアに基づいて、サービングセル（セカンダリーセル）に対する第２の下りリンク参照ＵＬ−ＤＬ設定をセットしてもよい。
【０２９０】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なる場合は、２つのサービングセルのそれぞれにおいて、対応する第２の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０２９１】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が同じ場合は、プライマリーセルにおいて、対応する第１の上りリンク参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられ、セカンダリーセルにおいて、対応する第１の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０２９２】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なる場合は、図１２および図１４において、プライマリーセルＵＬ−ＤＬ設定は、プライマリーセルに対する第１の上りリンク参照ＵＬ−ＤＬ設定を参照する。
【０２９３】
以下、ＣＳＩについて詳細に説明する。
【０２９４】
ＣＳＩは、チャネル品質指標（Channel Quality Indicator: CQI）、ＲＩ（Rank Indicator）、および、ＰＭＩ（Precoding Matric Indicator）を含む。ＣＱＩは、ＰＤＳＣＨで送信される単一のトランスポートブロックに対する、変調方式と符号化率の組合せを表現する。符号化率は、ＰＤＳＣＨのリソース量およびトランスポートブロックサイズから導き出せる。
【０２９５】
図２２は、本実施形態におけるＣＱＩインデックスに対応する変調方式と符号化率を示す表である。移動局装置１は、ＣＳＩ参照リソース（CSI reference resource）と呼ばれる下りリンク物理リソースブロックのグループで送信され、そして、ＣＱＩインデックスに対応している変調方式とトランスポートブロックサイズの組合せである単一のＰＤＳＣＨトランスポートブロックが、０．１を超えないトランスポートブロック誤り確率で受信できるかもしれない条件を満たす、図２２の表の１から１５の中から最も高いＣＱＩインデックスを導き出す。移動局装置１は、ＣＱＩインデックス１が上記条件を満たさない場合には、ＣＱＩインデックス０を導き出す。
【０２９６】
しかしながら、隣接するセルとサービングセルのＵＬ−ＤＬ設定が異なる場合には、サブフレーム毎に干渉状態が異なる。そこで、本実施形態では、少なくとも２つのサブフレームセットが定義され、移動局装置１は、少なくとも２つのサブフレームセットのそれぞれに対するチャネル状態情報を、基地局装置３に報告する。尚、サブフレームの干渉状態に基づいてサブフレームセットが構成されることが好ましい。
【０２９７】
図２３は、本実施形態におけるサブフレームセットの構成の一例を示す図である。図２３において、Ｄは下りリンクサブフレームを示し、Ｕは上りリンクサブフレームを示し、Ｓはスペシャルサブフレームを示し、ａは第１のサブフレームセットに属すサブフレームを示し、ｂは第２のサブフレームセットに属すサブフレームを示し、Ｆは第１のフレキシブルサブフレームを示す。
【０２９８】
図２３において、サービングセルのサブフレーム｛０、１、３、４、５、６、８、９｝で下りリンクの送信が行なわれる。また、図２３において、隣接セルのサブフレーム｛０、１、５、６、９｝で下りリンクの送信が行なわれ、隣接セルのサブフレーム｛３、４、８｝で上りリンクの送信が行なわれる。従って、サービングセルにおいて、サブフレーム｛０、１、５、６、９｝およびサブフレーム｛３、４、８｝の間で干渉状態が異なる。そこで、図２３では、第１のサブフレームセットはサブフレーム｛０、１、５、６、９｝から構成され、第２のサブフレームセットはサブフレーム｛３、４、８｝から構成される。
【０２９９】
基地局装置３は、サブフレームセットを示す情報を、移動局装置１に送信し、移動局装置１は該情報に基づいてサブフレームセットを設定してもよい。
【０３００】
尚、第１のフレキシブルサブフレームに基づいて、暗示的（implicit）にサブフレームセットが構成されてもよい。例えば、第１のサブフレームセットは第１のフレキシブルサブフレームから構成され、第２のサブフレームセットは第１の上りリンク参照ＵＬ−ＤＬ設定によって下りリンクサブフレームまたはスペシャルサブフレームとして指示されたサブフレームから構成されてもよい。
【０３０１】
尚、移動局装置１は、複数のＣＳＩプロセスが設定されてもよい。単一のＣＳＩプロセスに対して、少なくとも２つのサブフレームセットが設定されてもよい。また、移動局装置１に対して少なくとも２つのＣＳＩプロセスが設定され、少なくとも２つのＣＳＩプロセスのそれぞれに対して１つのサブフレームセットが設定されてもよい。
【０３０２】
移動局装置１は、複数のＣＳＩプロセス、および／または、複数のサブフレームセットのそれぞれに対するＣＳＩを導き出し、該ＣＳＩを報告してもよい。
【０３０３】
尚、7680/(15000×2048)秒と同じ、または、それより短い長さのＤｗＰＴＳを含むスペシャルサブフレームは、何れのサブフレームセットにも属さなくてもよい。
【０３０４】
ＣＳＩの報告はピリオディック、または、アピリオディックである。ピリオディックに報告されるＣＳＩをピリオディックＣＳＩと称する。アピリオディックに報告されるＣＳＩをアピリオディックＣＳＩと称する。
【０３０５】
移動局装置１によってＣＳＩの報告に使われうるリソースは、基地局装置３によって制御される。
【０３０６】
移動局装置１は、ＰＵＣＣＨを介してピリオディックにＣＳＩをフィードバックするよう、上位層（ＲＲＣ層）によって準静的に設定される。つまり、移動局装置１は、ピリオディックＣＳＩを報告するサブフレームを、上位層（ＲＲＣ層）によって設定される。移動局装置１は、ＣＳＩプロセス毎、および／または、サブフレームセット毎にピリオディックＣＳＩの報告を設定されてもよい。
【０３０７】
アピリオディックＣＳＩはＰＵＳＣＨで伝送される。移動局装置１は、サービングセルｃに対するサブフレームｎにおいて上りリンクグラントを検出し、該上りリンクグラントに含まれるＣＳＩリクエストフィールドがＣＳＩ報告をトリガーするようにセットいる場合に、サービングセルｃにおけるサブフレームｎ＋ｋにおいて該上りリンクグラントによってスケジュールされたＰＵＳＣＨを用いてアピリオディックＣＳＩの報告を行なう。
【０３０８】
ＣＳＩリクエストフィールドは、移動局装置１にアピリオディックＣＳＩの報告を指示するかどうかを示す情報（ＣＳＩリクエスト）がマップされる。また、該情報は、ＣＳＩプロセス、および／または、サブフレームセットを示し、そして、移動局装置１は、該情報によって示されたＣＳＩプロセス、および／または、サブフレームセットのそれぞれに対するアピリオディックＣＳＩを報告してもよい。
【０３０９】
移動局装置１は、ワイドバンドＣＱＩ、および、サブバンドＣＱＩを導き出す。周波数領域において、ワイドバンドＣＱＩは、全ての下りリンク物理リソースブロックに対応し、サブバンドＣＱＩは一部の下りリンク物理リソースブロックに対応する。
【０３１０】
以下、ＣＳＩ参照リソースについて説明する。
【０３１１】
周波数領域において、ＣＳＩ参照リソースは、導き出されるＣＱＩの値が関連するバンドに対応する下りリンク物理リソースブロックのグループによって定義される。
【０３１２】
時間領域において、ＣＳＩ参照リソースは、１つのサブフレームによって定義される。サブフレームｎにおいてＣＳＩが報告される場合、ＣＳＩ参照リソースはサブフレームｎ−ｎＣＱＩｒｅｆによって定義される。
【０３１３】
例えば、サブフレームｎにおいてＣＳＩが報告される場合、ｎＣＱＩｒｅｆは、サブフレームｎ−ｎＣＱＩｒｅｆが有効なサブフレームに対応するような、ｍより大きい、または、同じである最も小さい値である。例えば、ｍは、４または５である。例えば、アピリオディックＣＳＩが報告される場合、ＣＳＩ参照リソースは、対応するＣＳＩリクエストを受信した有効なサブフレームである。
【０３１４】
移動局装置１は、少なくとも以下の条件を満たすサブフレームを有効であるとみなす。尚、第１の情報によって示されるＵＬ−ＤＬ設定を、サービングセルのＵＬ−ＤＬ設定と称する。
【０３１５】
・条件（X1）：送信方向ＵＬ−ＤＬ設定をセットしていない場合、有効なサブフレームは、サービングセルのＵＬ−ＤＬ設定によって下りリンクサブフレームとして指示されている
・条件（X2）：送信方向ＵＬ−ＤＬ設定をセットしている場合は、有効なサブフレームは、送信方向ＵＬ−ＤＬ設定によって下りリンクサブフレームとして指示されている
・条件（X3）：送信モード９および１０ではない場合、有効なサブフレームは、ＭＢＳＦＮサブフレームではない
・条件（X4）：有効なサブフレームは、7680/(15000×2048)秒と同じ、または、それより短い長さのＤｗＰＴＳフィールドを含まない
・条件（X5）：有効なサブフレームは、移動局装置１に対する設定された測定ギャップに含まれない
・条件（X6）：移動局装置１がサブフレームセットを設定されている場合、有効なサブフレームは、ＣＳＩ報告が対応するサブフレームセットの要素である
【０３１６】
尚、条件（X1）および条件（X2）における下りリンクサブフレームは、スペシャルサブフレームを含む。
【０３１７】
尚、異なるＵＬ−ＤＬ設定の複数のセルが集約され、移動局装置１が該集約されたセルにおいて同時送受信の能力を持たない場合には、条件（X1）および条件（X2）における下りリンクサブフレームは、プライマリーセルにおける下りリンクサブフレーム、および、7680/(15000×2048)秒より長いＤｗＰＴＳフィールドを含むスペシャルサブフレームを含む。
【０３１８】
尚、あるサービングセルに対するＣＳＩ参照リソースのそれぞれは何れか１つのサブフレームセットに属し、複数のサブフレームセットには属さない。これにより、基地局装置３は、第３の情報を用いて、移動局装置１がＣＳＩ参照リソースとして特定するサブフレームを制御することができる。
【０３１９】
尚、ＣＳＩ参照リソースに対する有効なサブフレームがない場合、移動局装置１は、ＣＳＩ報告を省略してもよい。
【０３２０】
送信モード１−８の移動局装置１は、ＣＳＩ参照リソースに関連するＣＱＩを導き出すために、ＣＲＳに基づいてチャネル測定を行なう。
【０３２１】
送信モード９および１０の移動局装置１は、ＣＳＩ参照リソースに関連するＣＱＩを導き出すために、ＣＳＩプロセスに対応するＮＺＰ  ＣＳＩ−ＲＳリソースを用いてチャネル測定を行なう。ＣＳＩプロセス毎にＮＺＰ  ＣＳＩ−ＲＳリソースが設定されてもよい。
【０３２２】
送信モード１０の移動局装置１は、ＣＳＩ参照リソースに関連するＣＱＩを導き出すために、ＣＳＩプロセスに対応するＣＳＩ−ＩＭリソースを用いて干渉測定を行なう。単一のＣＳＩプロセスに対して少なくとも２つのサブフレームセットが設定されている場合は、送信モード１０の移動局装置１は、ＣＳＩ参照リソースに関連するＣＱＩを導き出すために、ＣＳＩ参照リソースが属するサブフレームセット内のＣＳＩ−ＩＭリソースを用いて干渉測定を行なう。
【０３２３】
ＬＴＥにおいて、送信モードは基地局装置３によって制御される。
【０３２４】
基地局装置３は、第１のサブフレームセットに対する第４の情報、および、第２のサブフレームセットに対する第４の情報を、移動局装置１に送信する。該第４の情報は、ＣＳＩ参照リソースにおいて、ＣＲＳに対応するリソースエレメントの数が０であり、ＰＤＣＣＨを含む制御シグナルによって占有されるＯＦＤＭシンボルの数が０であると、移動局装置１が想定するかどうかを指示するために使用される。
【０３２５】
尚、第４の情報は、ＣＳＩ参照リソースにおいて、ＣＲＳに対応するリソースエレメントの数が０であり、ＰＤＣＣＨを含む制御シグナルによって占有されるＯＦＤＭシンボルの数が０であると、移動局装置１が想定することを指示するために使用されてもよい。
【０３２６】
尚、該第４の情報は、ＣＳＩ参照リソースにおいて、ＣＲＳに対応するリソースエレメントの数が０であることのみを指示するために使用されてもよい。該第４の情報は、ＣＳＩ参照リソースにおいて、ＰＤＣＣＨを含む制御シグナルによって占有されるＯＦＤＭシンボルの数が０であることのみを指示するために使用されてもよい。
【０３２７】
移動局装置１は、第４の情報をセットする。
【０３２８】
基地局装置３は、第１のサブフレームセットに対する第５の情報、および、第２のサブフレームセットに対する第５の情報を、移動局装置１に送信する。該第５の情報は、ＰＡの値を示す。ＰＡは、ＣＳＩプロセス毎、および、サブフレームセット毎に個別に設定されてもよい。
【０３２９】
基地局装置３は、第１のサブフレームセット、および、第２のサブフレームセットに対する第６の情報（nomPDSCH-RS-EPRE-Offset）を、移動局装置１に送信する。該第６の情報は、Δoffsetを示す。Δoffsetは、複数のＣＳＩプロセス、および、複数のサブフレームセットに対して共通であってもよい。
【０３３０】
ＣＲＳがチャネル測定に用いられる場合、移動局装置１は、ＣＱＩインデックスを導き出す目的のために、少なくともＰＡおよびΔoffsetを用いて、ＣＳＩ参照リソースにおいて想定するＰＤＳＣＨ  ＥＰＲＥ（Energy Per Resource Element）とＣＲＳ  ＥＰＲＥとの比を導き出す。
【０３３１】
基地局装置３は、ＣＲＳを含まないＯＦＤＭシンボルにおけるＰＤＳＣＨ  ＥＰＲＥとＣＲＳを含むＯＦＤＭシンボルにおけるＰＤＳＣＨ  ＥＰＲＥとの比ρA／ρBを示す第７の情報を、移動局装置１に送信する。ρA／ρBは、複数のサブフレームセットに対して共通であってもよい。ρA／ρBは、複数のＣＳＩプロセスに対して共通であってもよいし、異なってもよい。
【０３３２】
基地局装置３は、ＣＳＩプロセス、および／または、サブフレームセットのそれぞれに対する第８の情報を、移動局装置１に送信する。該第８の情報は、ＰＤＳＣＨ  ＥＰＲＥとＮＺＰ  ＣＳＩ−ＲＳ  ＥＰＲＥとの比（Ｐｃ）を示す。
【０３３３】
基地局装置３は、ＣＲＳ  ＥＰＲＥを示す第９の情報を、移動局装置１に送信する。
【０３３４】
基地局装置３は、第４の情報から第９の情報のそれぞれを、上位層の情報（システムインフォメーションメッセージ、および／または、ＲＲＣメッセージ）に含めて送信してもよい。
【０３３５】
ＣＱＩインデックスを導き出す目的のために、移動局装置１はＣＳＩ参照リソースにおいて少なくとも以下のうちの１つを想定する。
【０３３６】
・想定（１）：第４の情報によって、ＣＳＩ参照リソースにおいて、ＣＲＳに対応するリソースエレメントの数が０であると、移動局装置１が想定することを指示される場合（第４の情報がセットされている場合）には、移動局装置１はＣＲＳに対応するリソースエレメントの数が０であると想定する。
・想定（２）：第４の情報によって、ＣＳＩ参照リソースにおいて、ＣＲＳに対応するリソースエレメントの数が０であると、移動局装置１が想定しないことを指示される場合（第４の情報がセットされていない場合）には、移動局装置１はＣＲＳに対応するリソースエレメントの数は、ｎｏｎ−ＭＢＳＦＮサブフレーム内のものと同じであると想定する。
・想定（３）：第４の情報によって、ＣＳＩ参照リソースにおいて、ＰＤＣＣＨを含む制御シグナルによって占有されるＯＦＤＭシンボルの数が０であると、移動局装置１が想定することを指示される場合（第４の情報がセットされている場合）には、移動局装置１はＰＤＣＣＨを含む制御シグナルによって占有されるＯＦＤＭシンボルの数が０であると想定する。
・想定（４）：第４の情報によって、ＣＳＩ参照リソースにおいて、ＰＤＣＣＨを含む制御シグナルによって占有されるＯＦＤＭシンボルの数が０であると、移動局装置１が想定しないことを指示される場合（第４の情報がセットされている場合）には、移動局装置１はＰＤＣＣＨを含む制御シグナルによって占有されるＯＦＤＭシンボルの数が３であると想定する。
・想定（５）：チャネル測定のためにＮＺＰ  ＣＳＩ−ＲＳが使用される場合、移動局装置１は、ＣＳＩプロセス、および／または、サブフレームセットに対応するＰｃによって与えられるＰＤＳＣＨ  ＥＰＲＥとＮＺＰ  ＣＳＩ−ＲＳ  ＥＰＲＥとの比を想定する。尚、ＰＤＳＣＨ  ＥＰＲＥとＣＲＳ  ＥＰＲＥとの比は、ＰＡによって与えられる。
・想定（６）：チャネル測定のためにＣＲＳが使用される場合、移動局装置１は、サブフレームセット間で共通のΔoffsetおよびサブフレームセットに対応するＰＡによって与えられるＰＤＳＣＨ  ＥＰＲＥとＣＲＳ  ＥＰＲＥとの比を想定する。
・想定（７）：同期信号、ＰＢＣＨ、または、ＥＰＤＣＣＨによってリソースエレメントが使用されていない。
・想定（８）：ｎｏｎ−ＭＢＳＦＮサブフレームのＣＰ長。
・想定（９）：リダンダンシーヴァージョン（Redundancy Version）０。
・想定（１０）：ＮＺＰ  ＣＳＩ−ＲＳおよびＺＰ  ＣＳＩ−ＲＳに対して割り当てられたリソースエレメントはない。
・想定（１１）：ＰＲＳに対して割り当てられたリソースエレメントはない。
・想定（１２）：移動局装置１に対して現在設定されている送信モードに応じたＰＤＳＣＨ送信方式。
【０３３７】
図２４は、本実施形態におけるＵＲＳ、ＣＲＳおよび制御シグナル（ＰＤＣＣＨ／ＰＨＩＣＨ／ＰＣＦＩＣＨ）の配置の一例を示す図である。図２４において、横軸は時間軸であり、縦軸は周波数軸である。移動局装置１は、第４の情報によって、ＣＳＩ参照リソースにおいて、ＣＲＳに対応するリソースエレメントの数が０であり、ＰＤＣＣＨを含む制御シグナルによって占有されるＯＦＤＭシンボルの数が０であると、想定することを指示されていない場合には、ＣＳＩ参照リソースにおいて図２４におけるＵＲＳ、ＣＲＳ、制御シグナルのオーバーヘッドを想定する。
【０３３８】
図２５は、本実施形態におけるＵＲＳの配置の一例を示す図である。図２５において、横軸は時間軸であり、縦軸は周波数軸である。移動局装置１は、第４の情報によって、ＣＳＩ参照リソースにおいて、ＣＲＳに対応するリソースエレメントの数が０であり、ＰＤＣＣＨを含む制御シグナルによって占有されるＯＦＤＭシンボルの数が０であると、想定することを指示されている場合には、ＣＳＩ参照リソースにおいて図２５におけるＵＲＳ、ＣＲＳ、制御シグナルのオーバーヘッドを想定する。
【０３３９】
尚、想定（１）および想定（２）におけるＣＲＳのオーバーヘッドは、実際のＣＲＳのオーバーヘッドと異なってもよい。尚、想定（３）および想定（４）における制御シグナル（ＰＤＣＣＨ／ＰＣＦＩＣＨ／ＰＨＩＣＨ）のオーバーヘッドは、実際の制御シグナル（ＰＤＣＣＨ／ＰＣＦＩＣＨ／ＰＨＩＣＨ）のオーバーヘッドと異なってもよい。例えば、実際の制御シグナルのオーバーヘッドは、ＰＣＦＩＣＨを介して送信される、ＰＤＣＣＨの送信に用いられる領域（ＯＦＤＭシンボル）を指示する情報によって導き出される。
【０３４０】
例えば、図２３において、基地局装置３は、第１のサブフレームセットに属するＣＳＩ参照リソースにおいて、ＣＲＳに対応するリソースエレメントの数が０でなく、ＰＤＣＣＨを含む制御シグナルによって占有されるＯＦＤＭシンボルの数が０でないと、移動局装置１が想定することを指示することが好ましい。例えば、図２３において、第１のサブフレームセットには、ＣＲＳに対応するリソースエレメントの数が０であり、ＰＤＣＣＨを含む制御シグナルによって占有されるＯＦＤＭシンボルの数が０である第１のフレキシブルサブフレームが含まれてもよい。
【０３４１】
例えば、図２３において、送信方向ＵＬ−ＤＬ設定によって下りリンクサブフレームとして指示された第１のフレキシブルサブフレームにおいて、ＣＲＳ、ＰＤＣＣＨ、ＰＨＩＣＨ、および／または、ＰＣＦＩＣＨが送信されると設定している場合には、基地局装置３は、第２のサブフレームセットに属するＣＳＩ参照リソースにおいて、ＣＲＳに対応するリソースエレメントの数が０でなく、ＰＤＣＣＨを含む制御シグナルによって占有されるＯＦＤＭシンボルの数が０でないと、移動局装置１が想定することを指示することが好ましい。
【０３４２】
例えば、図２３において、送信方向ＵＬ−ＤＬ設定によって下りリンクサブフレームとして指示された第１のフレキシブルサブフレームにおいて、ＣＲＳ、ＰＤＣＣＨ、ＰＨＩＣＨ、および／または、ＰＣＦＩＣＨが送信されないと設定している場合には、基地局装置３は、第２のサブフレームセットに属するＣＳＩ参照リソースにおいて、ＣＲＳに対応するリソースエレメントの数が０であり、ＰＤＣＣＨを含む制御シグナルによって占有されるＯＦＤＭシンボルの数が０であると、移動局装置１が想定することを指示することが好ましい。
【０３４３】
尚、想定（５）におけるＰＤＳＣＨ  ＥＰＲＥとＮＺＰ  ＣＳＩ−ＲＳ  ＥＰＲＥとの比は、実際のＰＤＳＣＨ  ＥＰＲＥとＮＺＰ  ＣＳＩ−ＲＳ  ＥＰＲＥとの比とは異なってもよい。尚、想定（６）におけるＰＤＳＣＨ  ＥＰＲＥとＣＲＳ  ＥＰＲＥとの比は、実際のＰＤＳＣＨ  ＥＰＲＥとＣＲＳ  ＥＰＲＥとの比とは異なってもよい。
【０３４４】
（i）本実施形態の基地局装置３は、移動局装置１と通信する基地局装置３であって、第１のサブフレームセットおよび第２のサブフレームセットを示す情報と、前記移動局装置１が前記第１のサブフレームセットに属するチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第１の値を示す情報と、前記移動局装置１が前記第２のサブフレームセットに属するチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第２の値を示す情報と、を送信する送信部を備える。
【０３４５】
（ii）また、本実施形態において、基地局装置３の送信部は、前記移動局装置１がチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第３の値を示す情報を送信し、前記第３の値は、第１のサブフレームセットおよび前記第２のサブフレームセットに対して共通である。
【０３４６】
（iii）また、本実施形態において、基地局装置３の送信部は、チャネル状態情報（ＣＳＩ）参照リソースにおいて、セルスペシフィック参照信号（ＣＲＳ）に対応するリソースエレメントの数が０であり、および／または、物理下りリンク制御チャネル（ＰＤＣＣＨ）を含む制御シグナルによって占有されるＯＦＤＭシンボルの数が０であると、前記移動局装置１が想定するかどうかを指示するために使用される情報を、第１のサブフレームセットおよび第２のサブフレームセットのそれぞれに対して送信する。
【０３４７】
（iv）また、本実施形態の基地局装置３は、第１のサブフレームセットに属するチャネル状態情報（ＣＳＩ）参照リソースに対応するチャネル品質指標（ＣＱＩ）、および、第２のサブフレームセットに属するチャネル状態情報（ＣＳＩ）参照リソースに対応するチャネル品質指標（ＣＱＩ）を受信する受信部を備える。
【０３４８】
（v）また、本実施形態の移動局装置１は、基地局装置３と通信する移動局装置１であって、第１のサブフレームセットおよび第２のサブフレームセットを示す情報と、前記移動局装置１が前記第１のサブフレームセットに属するチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第１の値を示す情報と、前記移動局装置１が前記第２のサブフレームセットに属するチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第２の値を示す情報と、を受信する受信部を備える。
【０３４９】
（vi）また、本実施形態において、移動局装置１の受信部は、前記移動局装置１がチャネル状態情報（ＣＳＩ）参照リソースにおいてチャネル品質指標（ＣＱＩ）を導き出すために想定する、物理下りリンク共用チャネルが対応するリソースエレメント毎の電力（ＰＤＳＣＨ  ＥＰＲＥ）、および、セルスペシフィック参照信号が対応するリソースエレメント毎の電力（ＣＲＳ  ＥＰＲＥ）の比を算出するための第３の値を示す情報を受信し、前記第３の値は、第１のサブフレームセットおよび前記第２のサブフレームセットに対して共通である。
【０３５０】
（vii）また、本実施形態において、移動局装置１の受信部は、チャネル状態情報（ＣＳＩ）参照リソースにおいて、セルスペシフィック参照信号（ＣＲＳ）に対応するリソースエレメントの数が０であり、および／または、物理下りリンク制御チャネル（ＰＤＣＣＨ）を含む制御シグナルによって占有されるＯＦＤＭシンボルの数が０であると、前記移動局装置１が想定するかどうかを指示するために使用される情報を、第１のサブフレームセットおよび第２のサブフレームセットのそれぞれに対して受信する。
【０３５１】
（viii）また、本実施形態の移動局装置１は、前記チャネル状態情報（ＣＳＩ）参照リソースを特定する制御部と、前記チャネル状態情報（ＣＳＩ）参照リソースが属する第１のサブフレームセットまたは第２のサブフレームセットに対する前記想定に基づいて、前記チャネル状態情報（ＣＳＩ）参照リソースに関連するチャネル品質指標（ＣＱＩ）を導き出す測定部と、を備える。
【０３５２】
（ix）また、本実施形態において、前記チャネル状態情報（ＣＳＩ）参照リソースは、時間領域において、少なくとも以下の条件を満たす単一のサブフレームによって定義され、前記物理下りリンク制御チャネル（ＰＤＣＣＨ）および／またはＥＰＤＣＣＨで伝送される制御情報（第３の情報）に基づいてＵＬ−ＤＬ設定（送信方向ＵＬ−ＤＬ設定）をセットしている場合には、前記条件は、前記制御情報（第３の情報）に基づいてセットされたＵＬ−ＤＬ設定（送信方向ＵＬ−ＤＬ設定）によって下りリンクサブフレームとして指示されたサブフレームであることを含む。
【０３５３】
（x）また、本実施形態において、前記物理下りリンク制御チャネル（ＰＤＣＣＨ）および／またはＥＰＤＣＣＨで伝送される制御情報（第３の情報）に基づいてＵＬ−ＤＬ設定（送信方向ＵＬ−ＤＬ設定）をセットしていない場合には、前記条件は、サービングセルのＵＬ−ＤＬ設定によって下りリンクサブフレームとして指示されたサブフレームであることを含む。
【０３５４】
（xi）また、本実施形態において、前記チャネル状態情報（ＣＳＩ）参照リソースとして特定される前記下りリンクサブフレームは、7680/(15000×2048)秒より長いＤｗＰＴＳフィールドを含むスペシャルサブフレームを含む。
【０３５５】
（xii）また、本実施形態の移動局装置１は、サブフレームｎにおいて報告されるチャネル品質指標の値に対して、チャネル状態情報参照リソースに基づいてチャネル品質指標のインデックスを導き出す測定部と、前記サブフレームｎにおいて前記チャネル品質指標から成るチャネル状態情報を報告する送信部と、を備える。時間領域において、前記チャネル状態情報参照リソースは、１つのサブフレームｎ−ｎCQI_refによって定義される。周期的なチャネル状態情報の報告に対して、前記ｎCQI_refは、前記サブフレームｎ−ｎCQI_refが有効なサブフレームに対応するような、４と同じ、または、４より大きい最も小さい値である。下記の基準（i）から（v）の一部または全部を少なくとも含む基準を満たす、あるサービングセルにおけるサブフレームは有効であるとみなされる。
【０３５６】
・基準（i）：前記サービングセルに対する無線フレームに対して、前記サブフレームが、前記サービングセルに対する前記無線フレームに対する上りリンク−下りリンク設定によって下りリンクサブフレームまたはスペシャルサブフレームとして指示されたサブフレームである。
・基準（ii）：ＤｗＰＴＳ（Downlink Pilot Time Slot）の長さが所定の値である、または、前記所定の値より短い場合、前記サブフレームがＤｗＰＴＳフィールドを含まない。
・基準（iii）：送信モード１−８に対して、前記サブフレームがＭＢＳＦＮ（Multimedia Broadcast and Multicast Service over Single Frequency Network）サブフレームではない。
・基準（iv）：前記サブフレームが、前記端末装置に対する設定された測定ギャップ内に収まらない。
・基準（v）：前記周期的なチャネル状態情報の報告に対して、前記チャネル状態情報に関するサブフレームセットが設定される場合、前記サブフレームが、前記周期的なチャネル状態情報の報告にリンクされるサブフレームセットの要素である。
【０３５７】
前記基準（i）において、物理下りリンク制御チャネルでシグナルされる、前記サービングセルに対する前記無線フレームに対する上りリンク−下りリンク設定を示す情報を検出している場合、前記サービングセルに対する前記無線フレームに対する上りリンク−下りリンク設定は、前記サービングセルに対する前記無線フレームに対する上りリンク−下りリンク設定を示す情報によって与えられる。
【０３５８】
前記基準（i）において、前記サービングセルに対する前記無線フレームに対する上りリンク−下りリンク設定を示す情報を検出していない場合、前記サービングセルに対する前記無線フレームに対する上りリンク−下りリンク設定は、上位層のパラメータによって指示された上りリンク−下りリンク設定と同じである。
【０３５９】
（xiii）また、本実施形態の移動局装置１は、下記の基準（vi）から（xi）の一部または全部を少なくとも含む基準を満たす、あるサービングセルにおけるサブフレームは有効であるとみなす。
【０３６０】
・基準（vi）：異なる上りリンク−下りリンク設定をともなう複数のセルが集約され、前記端末装置が前記集約された複数のセルにおいて同時に送信および受信を行なう能力がない場合、プライマリーセルにおけるサブフレームが、前記プライマリーセルに対する無線フレームに対する上りリンク−下りリンク設定によって指示された下りリンクサブフレームまたはスペシャルサブフレームである。
・基準（vii）：前記セルに対する無線フレームに対して、前記サブフレームが、前記セルに対する前記無線フレームに対する上りリンク−下りリンク設定によって下りリンクサブフレームまたはスペシャルサブフレームとして指示されたサブフレームである。
・基準（viii）：送信モード１−８に対して、前記サブフレームがＭＢＳＦＮ（Multimedia Broadcast and Multicast Service over Single Frequency Network）サブフレームではない。
・基準（ix）：ＤｗＰＴＳの長さが所定の値と同じ、または、前記所定の値より短い場合、前記サブフレームがＤｗＰＴＳ（Downlink Pilot Time Slot）フィールドを含まない。
【０３６１】
条件（x）：前記サブフレームが、前記端末装置に対する設定された測定ギャップ内に収まらない。
【０３６２】
条件（xi）：前記周期的なチャネル状態情報の報告に対して、前記チャネル状態情報に関連するサブフレームセットが設定される場合、前記サブフレームが、前記周期的なチャネル状態情報の報告にリンクされるサブフレームセットの要素である。
【０３６３】
前記基準（vi）および前記基準（vii）において、物理下りリンク制御チャネルでシグナルされる、前記セル（プライマリーセル、および、セカンダリーセル）に対する前記無線フレームに対する上りリンク−下りリンク設定を示す情報を検出している場合、前記セルに対する前記無線フレームに対する上りリンク−下りリンク設定は、前記セルに対する前記無線フレームに対する上りリンク−下りリンク設定を示す情報によって示される上りリンク−下りリンク設定である。
【０３６４】
前記基準（vi）および前記基準（vii）において、前記セル（プライマリーセル、および、セカンダリーセル）に対する前記無線フレームに対する上りリンク−下りリンク設定を示す情報を検出していない場合、前記セルに対する前記無線フレームに対する上りリンク−下りリンク設定は、上位層のパラメータによって指示された上りリンク−下りリンク設定である。前記集約された複数のセルは、１つの前記プライマリーセルを含む。
【０３６５】
これにより、チャネル状態情報が用いられる無線通信システムにおいて、基地局装置３は効率的に移動局装置１と通信することができる。
【０３６６】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０３６７】
尚、上述した実施形態における移動局装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３６８】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３６９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０３７０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０３７１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３７２】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０３７３】
また、上述した実施形態では、端末装置もしくは通信装置の一例として移動局装置を記載したが、本願発明は、これに限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などの端末装置もしくは通信装置にも適用出来る。
【０３７４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３７５】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
１０１７  ＣＳＩ報告制御部
３０１１  無線リソース制御部
３０１３  サブフレーム設定部
３０１５  スケジューリング部
３０１７  ＣＳＩ報告制御部
【図１】
2014203941.tif 000003
【図２】
2014203941.tif 000004
【図３】
2014203941.tif 000005
【図４】
2014203941.tif 000006
【図５】
2014203941.tif 000007
【図６】
2014203941.tif 000008
【図７】
2014203941.tif 000009
【図８】
2014203941.tif 000010
【図９】
2014203941.tif 000011
【図１０】
2014203941.tif 000012
【図１１】
2014203941.tif 000013
【図１２】
2014203941.tif 000014
【図１３】
2014203941.tif 000015
【図１４】
2014203941.tif 000016
【図１５】
2014203941.tif 000017
【図１６】
2014203941.tif 000018
【図１７】
2014203941.tif 000019
【図１８】
2014203941.tif 000020
【図１９】
2014203941.tif 000021
【図２０】
2014203941.tif 000022
【図２１】
2014203941.tif 000023
【図２２】
2014203941.tif 000024
【図２３】
2014203941.tif 000025
【図２４】
2014203941.tif 000026
【図２５】
2014203941.tif 000027
【国際調査報告】
2014203941.tif 000028
2014203941.tif 000029
2014203941.tif 000030
2014203941.tif 000031